(57)【要約】【課題】本発明によれば、基地局装置と移動局装置が、上りリンク信号または上りリンク参照信号に関するパラメータを決定し、効率的に通信することができる移動局装置、基地局装置、通信方法、集積回路および無線通信システムを提供する。【解決手段】基地局装置と通信する移動局装置であって、物理下りリンク制御チャネルの検出に基づいて、第１のパラメータまたは第２のパラメータを使用して、上りリンク参照信号を生成する。【選択図】図８
2013229771.tif 000002
【特許請求の範囲】
【請求項１】
基地局装置と通信する移動局装置であって、
あるサブフレームにおいて、プライマリセルのみにおける１つの物理下りリンク共用チャネルでの送信をスケジュールする１つの物理下りリンク制御チャネルを、前記プライマリセルにおけるコモンサーチスペースで検出した場合には、第１のパラメータを使用して生成した物理上りリンク制御チャネルに関連する参照信号を前記基地局装置へ送信し、
あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースで検出した場合には、第２のパラメータを使用して生成した前記物理上りリンク制御チャネルに関連する参照信号を前記基地局装置へ送信し、
あるサブフレームにおいて、少なくとも１つのセカンダリセルにおける物理下りリンク共用チャネルでの送信をスケジュールする物理下りリンク制御チャネルを検出した場合には、前記第２のパラメータを使用して生成した前記物理上りリンク制御チャネルに関連する参照信号を前記基地局装置へ送信する
ことを特徴とする移動局装置。
【請求項２】
前記第１のパラメータは、物理レイヤセルアイデンティティである
ことを特徴とする請求項１に記載の移動局装置。
【請求項３】
前記第２のパラメータは、前記基地局装置によって指示される
ことを特徴とする請求項１または請求項２に記載の移動局装置。
【請求項４】
移動局装置と通信する基地局装置であって、
あるサブフレームにおいて、プライマリセルのみにおける１つの物理下りリンク共用チャネルでの送信をスケジュールする１つの物理下りリンク制御チャネルを、前記プライマリセルにおけるコモンサーチスペースに配置した場合には、第１のパラメータを使用して生成された物理上りリンク制御チャネルに関連する参照信号を前記移動局装置から受信し、
あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースに配置した場合には、第２のパラメータを使用して生成された前記物理上りリンク制御チャネルに関連する参照信号を前記移動局装置から受信し、
あるサブフレームにおいて、少なくとも１つのセカンダリセルにおける物理下りリンク共用チャネルでの送信をスケジュールする物理下りリンク制御チャネルを配置した場合には、前記第２のパラメータを使用して生成された前記物理上りリンク制御チャネルに関連する参照信号を前記移動局装置から受信する
ことを特徴とする基地局装置。
【請求項５】
前記第１のパラメータは、物理レイヤセルアイデンティティである
ことを特徴とする請求項４に記載の基地局装置。
【請求項６】
前記第２のパラメータを、前記移動局装置へ指示する
ことを特徴とする請求項４または請求項５に記載の基地局装置。
【請求項７】
基地局装置と通信する移動局装置の通信方法であって、
あるサブフレームにおいて、プライマリセルのみにおける１つの物理下りリンク共用チャネルでの送信をスケジュールする１つの物理下りリンク制御チャネルを、前記プライマリセルにおけるコモンサーチスペースで検出した場合には、第１のパラメータを使用して生成した物理上りリンク制御チャネルに関連する参照信号を前記基地局装置へ送信し、
あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースで検出した場合には、第２のパラメータを使用して生成した前記物理上りリンク制御チャネルに関連する参照信号を前記基地局装置へ送信し、
あるサブフレームにおいて、少なくとも１つのセカンダリセルにおける物理下りリンク共用チャネルでの送信をスケジュールする物理下りリンク制御チャネルを検出した場合には、前記第２のパラメータを使用して生成した前記物理上りリンク制御チャネルに関連する参照信号を前記基地局装置へ送信する
ことを特徴とする通信方法。
【請求項８】
移動局装置と通信する基地局装置の通信方法であって、
あるサブフレームにおいて、プライマリセルのみにおける１つの物理下りリンク共用チャネルでの送信をスケジュールする１つの物理下りリンク制御チャネルを、前記プライマリセルにおけるコモンサーチスペースに配置した場合には、第１のパラメータを使用して生成された物理上りリンク制御チャネルに関連する参照信号を前記移動局装置から受信し、
あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースに配置した場合には、第２のパラメータを使用して生成された前記物理上りリンク制御チャネルに関連する参照信号を前記移動局装置から受信し、
あるサブフレームにおいて、少なくとも１つのセカンダリセルにおける物理下りリンク共用チャネルでの送信をスケジュールする物理下りリンク制御チャネルを配置した場合には、前記第２のパラメータを使用して生成された前記物理上りリンク制御チャネルに関連する参照信号を前記移動局装置から受信する
ことを特徴とする通信方法。
【請求項９】
基地局装置と通信する移動局装置に搭載される集積回路であって、
あるサブフレームにおいて、プライマリセルのみにおける１つの物理下りリンク共用チャネルでの送信をスケジュールする１つの物理下りリンク制御チャネルを、前記プライマリセルにおけるコモンサーチスペースで検出した場合には、第１のパラメータを使用して生成した物理上りリンク制御チャネルに関連する参照信号を前記基地局装置へ送信する機能と、
あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースで検出した場合には、第２のパラメータを使用して生成した前記物理上りリンク制御チャネルに関連する参照信号を前記基地局装置へ送信する機能と、
あるサブフレームにおいて、少なくとも１つのセカンダリセルにおける物理下りリンク共用チャネルでの送信をスケジュールする物理下りリンク制御チャネルを検出した場合には、前記第２のパラメータを使用して生成した前記物理上りリンク制御チャネルに関連する参照信号を前記基地局装置へ送信する機能と、を前記移動局装置へ発揮させる
ことを特徴とする集積回路。
【請求項１０】
移動局装置と通信する基地局装置に搭載される集積回路であって、
あるサブフレームにおいて、プライマリセルのみにおける１つの物理下りリンク共用チャネルでの送信をスケジュールする１つの物理下りリンク制御チャネルを、前記プライマリセルにおけるコモンサーチスペースに配置した場合には、第１のパラメータを使用して生成された物理上りリンク制御チャネルに関連する参照信号を前記移動局装置から受信する機能と、
あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースに配置した場合には、第２のパラメータを使用して生成された前記物理上りリンク制御チャネルに関連する参照信号を前記移動局装置から受信する機能と、
あるサブフレームにおいて、少なくとも１つのセカンダリセルにおける物理下りリンク共用チャネルでの送信をスケジュールする物理下りリンク制御チャネルを配置した場合には、前記第２のパラメータを使用して生成された前記物理上りリンク制御チャネルに関連する参照信号を前記移動局装置から受信する機能と、を前記基地局装置へ発揮させる
ことを特徴とする集積回路。
【請求項１１】
基地局装置と移動局装置が通信する無線通信システムであって、
前記基地局装置は、
あるサブフレームにおいて、プライマリセルのみにおける１つの物理下りリンク共用チャネルでの送信をスケジュールする１つの物理下りリンク制御チャネルを、前記プライマリセルにおけるコモンサーチスペースに配置し、
あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースに配置し、
あるサブフレームにおいて、少なくとも１つのセカンダリセルにおける物理下りリンク共用チャネルでの送信をスケジュールする物理下りリンク制御チャネルを配置し、
前記移動局装置は、
前記プライマリセルのみにおける前記１つの物理下りリンク共用チャネルでの送信をスケジュールする前記１つの物理下りリンク制御チャネルを、前記プライマリセルにおける前記コモンサーチスペースで検出した場合には、第１のパラメータを使用して生成された物理上りリンク制御チャネルに関連する参照信号を前記基地局装置へ送信し、
前記プライマリセルのみにおける前記１つの物理下りリンク共用チャネルでの送信をスケジュールする前記１つの物理下りリンク制御チャネルを、前記ユーザー装置スペシフィックサーチスペースで検出した場合には、第２のパラメータを使用して生成された前記物理上りリンク制御チャネルに関連する参照信号を前記基地局装置へ送信し、
前記少なくとも１つのセカンダリセルにおける前記物理下りリンク共用チャネルでの送信をスケジュールする前記物理下りリンク制御チャネルを検出した場合には、前記第２のパラメータを使用して生成された前記物理上りリンク制御チャネルに関連する参照信号を前記基地局装置へ送信する
ことを特徴とする無線通信システム。
【発明の詳細な説明】
【技術分野】
【０００１】
本発明は、移動局装置、基地局装置、通信方法、集積回路および無線通信システムに関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局および端末のそれぞれが、１つまたは複数の送受信アンテナを備えて、例えば、ＭＩＭＯ（Ｍｕｌｔｉｐｌｅ  Ｉｎｐｕｔ  Ｍｕｌｔｉｐｌｅ  Ｏｕｔｐｕｔ）技術を利用することによって、高速なデータ伝送を実現することができる。
【０００３】
ここで、無線通信システムにおいて、複数の端末が、同一の周波数、時間リソースを使用して空間多重を行うＭＵ−ＭＩＭＯ（Ｍｕｌｔｉｐｌｅ  Ｕｓｅｒ  ＭＩＭＯ）をサポートすることが検討されている。また、複数の基地局が互いに協調して干渉コーディネーションを行うＣｏＭＰ（Ｃｏｏｐｅｒａｔｉｖｅ  Ｍｕｌｔｉｐｏｉｎｔ）伝送方式をサポートすることが検討されている。例えば、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）における無線通信システムが検討されている。
【０００４】
このような無線通信システムにおいて、複数の端末のそれぞれによって送信される上りリンク信号（例えば、上りリンク制御情報の信号）が、同一の特性である場合、干渉が生じてしまう。また、複数の端末のそれぞれによって送信される上りリンク参照信号が、同一の特性である場合、干渉が生じてしまう。ここで、例えば、複数の端末のそれぞれによって送信される復調用参照信号（ＤＭＲＳ；Ｄｅｍｏｄｕｌａｔｉｏｎ  Ｒｅｆｅｒｅｎｃｅ  Ｓｉｇｎａｌとも呼称される）の干渉を軽減、抑圧するために、復調用参照信号を直交化させるための方法および復調用参照信号の干渉をランダム化させるための方法が提案されている（非特許文献１）。
【先行技術文献】
【非特許文献】
【０００５】
【非特許文献１】ＤＭＲＳ  ｃｏｎｆｉｇｕｒａｔｉｏｎ  ｆｏｒ  ＵＬ  ＣｏＭＰ；  ３ＧＰＰ  ＴＳＧ  ＲＡＮ  ＷＧ１  ｍｅｅｔｉｎｇ＃６８ｂｉｓ  Ｒ１−１２１３５０、Ｍａｒｃｈ  ２６ｔｈ−３０ｔｈ、２０１２.
【発明の概要】
【発明が解決しようとする課題】
【０００６】
しかしながら、上述のような無線通信システムにおいて、基地局と端末が、上りリンク信号または上りリンク参照信号に関するパラメータを決定する際の具体的な手順に関する記載はなかった。すなわち、基地局と端末が、上りリンク信号または上りリンク参照信号に関するパラメータをどのように決定し、通信を行うかの記載がなかった。
【０００７】
本発明は、上述のような問題を鑑みてなされたものであり、その目的は、基地局と端末が、上りリンク信号または上りリンク参照信号に関するパラメータを決定し、効率的に通信することができる基地局装置、移動局装置、通信方法および通信システムを提供する。
【課題を解決するための手段】
【０００８】
（１）上記の目的を達成するために、本発明は、以下のような手段を講じた。すなわち、基地局装置と通信する移動局装置であって、あるサブフレームにおいて、プライマリセルのみにおける１つの物理下りリンク共用チャネルでの送信をスケジュールする１つの物理下りリンク制御チャネルを、前記プライマリセルにおけるコモンサーチスペースで検出した場合には、第１のパラメータを使用して生成した物理上りリンク制御チャネルに関連する参照信号を前記基地局装置へ送信することを特徴としている。また、前記移動局装置は、あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースで検出した場合には、第２のパラメータを使用して生成した前記物理上りリンク制御チャネルに関連する参照信号を前記基地局装置へ送信することを特徴としている。また、前記移動局装置は、あるサブフレームにおいて、少なくとも１つのセカンダリセルにおける物理下りリンク共用チャネルでの送信をスケジュールする物理下りリンク制御チャネルを検出した場合には、前記第２のパラメータを使用して生成した前記物理上りリンク制御チャネルに関連する参照信号を前記基地局装置へ送信することを特徴としている。
【０００９】
（２）また、移動局装置と通信する基地局装置であって、あるサブフレームにおいて、プライマリセルのみにおける１つの物理下りリンク共用チャネルでの送信をスケジュールする１つの物理下りリンク制御チャネルを、前記プライマリセルにおけるコモンサーチスペースに配置した場合には、第１のパラメータを使用して生成された物理上りリンク制御チャネルに関連する参照信号を前記移動局装置から受信することを特徴としている。また、前記基地局装置は、あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースに配置した場合には、第２のパラメータを使用して生成された前記物理上りリンク制御チャネルに関連する参照信号を前記移動局装置から受信することを特徴としている。また、前記基地局装置は、あるサブフレームにおいて、少なくとも１つのセカンダリセルにおける物理下りリンク共用チャネルでの送信をスケジュールする物理下りリンク制御チャネルを配置した場合には、前記第２のパラメータを使用して生成された前記物理上りリンク制御チャネルに関連する参照信号を前記移動局装置から受信することを特徴としている。
【００１０】
（３）また、基地局装置と通信する移動局装置の通信方法であって、あるサブフレームにおいて、プライマリセルのみにおける１つの物理下りリンク共用チャネルでの送信をスケジュールする１つの物理下りリンク制御チャネルを、前記プライマリセルにおけるコモンサーチスペースで検出した場合には、第１のパラメータを使用して生成した物理上りリンク制御チャネルに関連する参照信号を前記基地局装置へ送信することを特徴としている。また、前記移動局装置の通信方法は、あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースで検出した場合には、第２のパラメータを使用して生成した前記物理上りリンク制御チャネルに関連する参照信号を前記基地局装置へ送信することを特徴としている。また、前記移動局装置の通信方法は、あるサブフレームにおいて、少なくとも１つのセカンダリセルにおける物理下りリンク共用チャネルでの送信をスケジュールする物理下りリンク制御チャネルを検出した場合には、前記第２のパラメータを使用して生成した前記物理上りリンク制御チャネルに関連する参照信号を前記基地局装置へ送信することを特徴としている。
【００１１】
（４）また、移動局装置と通信する基地局装置の通信方法であって、あるサブフレームにおいて、プライマリセルのみにおける１つの物理下りリンク共用チャネルでの送信をスケジュールする１つの物理下りリンク制御チャネルを、前記プライマリセルにおけるコモンサーチスペースに配置した場合には、第１のパラメータを使用して生成された物理上りリンク制御チャネルに関連する参照信号を前記移動局装置から受信することを特徴としている。また、前記基地局装置の通信方法であって、あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースに配置した場合には、第２のパラメータを使用して生成された前記物理上りリンク制御チャネルに関連する参照信号を前記移動局装置から受信することを特徴としている。また、前記基地局装置の通信方法は、あるサブフレームにおいて、少なくとも１つのセカンダリセルにおける物理下りリンク共用チャネルでの送信をスケジュールする物理下りリンク制御チャネルを配置した場合には、前記第２のパラメータを使用して生成された前記物理上りリンク制御チャネルに関連する参照信号を前記移動局装置から受信することを特徴としている。
【００１２】
（５）また、基地局装置と通信する移動局装置に搭載される集積回路であって、あるサブフレームにおいて、プライマリセルのみにおける１つの物理下りリンク共用チャネルでの送信をスケジュールする１つの物理下りリンク制御チャネルを、前記プライマリセルにおけるコモンサーチスペースで検出した場合には、第１のパラメータを使用して生成した物理上りリンク制御チャネルに関連する参照信号を前記基地局装置へ送信する機能を前記移動局装置へ発揮させることを特徴としている。また、前記移動局装置に搭載される集積回路は、あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースで検出した場合には、第２のパラメータを使用して生成した前記物理上りリンク制御チャネルに関連する参照信号を前記基地局装置へ送信する機能を前記移動局装置へ発揮させることを特徴としている。また、前記移動局装置に搭載される集積回路は、あるサブフレームにおいて、少なくとも１つのセカンダリセルにおける物理下りリンク共用チャネルでの送信をスケジュールする物理下りリンク制御チャネルを検出した場合には、前記第２のパラメータを使用して生成した前記物理上りリンク制御チャネルに関連する参照信号を前記基地局装置へ送信する機能を前記移動局装置へ発揮させることを特徴としている。
【００１３】
（６）また、移動局装置と通信する基地局装置に搭載される集積回路であって、あるサブフレームにおいて、プライマリセルのみにおける１つの物理下りリンク共用チャネルでの送信をスケジュールする１つの物理下りリンク制御チャネルを、前記プライマリセルにおけるコモンサーチスペースに配置した場合には、第１のパラメータを使用して生成された物理上りリンク制御チャネルに関連する参照信号を前記移動局装置から受信する機能を前記基地局装置へ発揮させることを特徴としている。また、前記基地局装置に搭載される集積回路は、あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースに配置した場合には、第２のパラメータを使用して生成された前記物理上りリンク制御チャネルに関連する参照信号を前記移動局装置から受信する機能を前記基地局装置に発揮させることを特徴としている。また、前記基地局装置に搭載される集積回路は、あるサブフレームにおいて、少なくとも１つのセカンダリセルにおける物理下りリンク共用チャネルでの送信をスケジュールする物理下りリンク制御チャネルを配置した場合には、前記第２のパラメータを使用して生成された前記物理上りリンク制御チャネルに関連する参照信号を前記移動局装置から受信する機能を前記基地局装置へ発揮させることを特徴としている。
【００１４】
（７）また、基地局装置と移動局装置が通信する無線通信システムであって、前記基地局装置は、あるサブフレームにおいて、プライマリセルのみにおける１つの物理下りリンク共用チャネルでの送信をスケジュールする１つの物理下りリンク制御チャネルを、前記プライマリセルにおけるコモンサーチスペースに配置し、あるサブフレームにおいて、前記プライマリセルのみにおける前記１つの物理下りリンク共用チャネルでの送信をスケジュールする前記１つの物理下りリンク制御チャネルを、ユーザー装置スペシフィックサーチスペースに配置し、あるサブフレームにおいて、少なくとも１つのセカンダリセルにおける物理下りリンク共用チャネルでの送信をスケジュールする物理下りリンク制御チャネルを配置することを特徴としている。また、前記無線通信システムにおいて、前記移動局装置は、前記プライマリセルのみにおける前記１つの物理下りリンク共用チャネルでの送信をスケジュールする前記１つの物理下りリンク制御チャネルを、前記プライマリセルにおける前記コモンサーチスペースで検出した場合には、第１のパラメータを使用して生成された物理上りリンク制御チャネルに関連する参照信号を前記基地局装置へ送信し、前記プライマリセルのみにおける前記１つの物理下りリンク共用チャネルでの送信をスケジュールする前記１つの物理下りリンク制御チャネルを、前記ユーザー装置スペシフィックサーチスペースで検出した場合には、第２のパラメータを使用して生成された前記物理上りリンク制御チャネルに関連する参照信号を前記基地局装置へ送信し、前記少なくとも１つのセカンダリセルにおける前記物理下りリンク共用チャネルでの送信をスケジュールする前記物理下りリンク制御チャネルを検出した場合には、前記第２のパラメータを使用して生成された前記物理上りリンク制御チャネルに関連する参照信号を前記基地局装置へ送信することを特徴としている。
【発明の効果】
【００１５】
本発明によれば、基地局と端末が、上りリンク信号または上りリンク参照信号に関するパラメータを決定し、効率的に通信することができる。
【図面の簡単な説明】
【００１６】
【図１】本発明の実施形態に係る基地局の構成を示す概略ブロック図である。
【図２】本発明の実施形態に係る端末の構成を示す概略ブロック図である。
【図３】本発明の実施形態に係る通信の例を示す概略図である。
【図４】下りリンク信号の例を示す図である。
【図５】ＰＵＣＣＨフォーマット１ａ／１ｂの構造の例を説明する図である。
【図６】ＰＵＣＣＨフォーマット３の構造の例を説明する図である。
【図７】チャネル選択による上りリンク制御情報の送信の例を説明する図である。
【図８】本発明の実施形態を説明する図である。
【図９】本発明の実施形態を説明する別の図である。
【発明を実施するための形態】
【００１７】
以下、本発明の実施形態について説明する。本発明の実施形態における無線通信システムは、基地局装置（以下、基地局デバイス、送信装置、セル、サービングセル、送信局、送信点、送信アンテナ群、送信アンテナポート群、ｅＮｏｄｅＢとも呼称される）として、プライマリー基地局（マクロ基地局、第１の基地局、第１の通信装置、サービング基地局、アンカー基地局、プライマリセルとも呼称される）およびセカンダリー基地局（ＲＲＨ、ピコ基地局、フェムト基地局、Ｈｏｍｅ  ｅＮｏｄｅＢ、第２の基地局装置、第２の通信装置、協調基地局群、協調基地局セット、協調基地局、セカンダリセルとも呼称される）を備える。また、移動局装置（以下、端末、移動局デバイス、受信装置、受信点、受信端末、第３の通信装置、受信アンテナ群、受信アンテナポート群、ユーザー装置（ＵＥ；Ｕｓｅｒ  Ｅｑｕｉｐｍｅｎｔ）とも呼称される）を備える。
【００１８】
ここで、セカンダリー基地局は、複数のセカンダリー基地局として示されても良い。例えば、プライマリー基地局とセカンダリー基地局は、ヘテロジーニアスネットワーク配置を利用して、セカンダリー基地局のカバレッジの一部または全てが、プライマリー基地局のカバレッジに含まれ、端末と通信を行うことができる。
【００１９】
図１は、本発明の実施形態に係る基地局の構成を示す概略ブロック図である。ここで、図１に示される基地局は、プライマリー基地局やセカンダリー基地局が含まれる。基地局は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成する。また、データ制御部１０１、送信データ変調部１０２、無線部１０３、スケジューリング部１０４、上位層１０８およびアンテナ１０９で送信部を構成する。ここで、基地局を構成する各部を、ユニットとも呼称する。
【００２０】
データ制御部１０１は、スケジューリング部１０４からトランスポートチャネルを受信する。データ制御部１０１は、トランスポートチャネルと物理層で生成される信号を、スケジューリング部１０４から入力されるスケジューリング情報に基づいて、物理チャネルにマッピングする。マッピングされた各データは、送信データ変調部１０２へ出力される。
【００２１】
送信データ変調部１０２は、送信データを変調／符号化する。送信データ変調部１０２は、データ制御部１０１から入力されたデータに対して、スケジューリング部１０４からのスケジューリング情報などに基づいて、変調／符号化、入力信号の直列／並列変換、ＩＦＦＴ（逆高速フーリエ変換：Ｉｎｖｅｒｓｅ  Ｆａｓｅ  Ｆｏｕｒｉｅｒ  Ｔｒａｎｓｆｏｒｍ）処理、ＣＰ（Ｃｙｃｌｉｃ  Ｐｒｅｆｉｘ）挿入などの信号処理を行ない、送信データを生成して、無線部１０３へ出力する。
【００２２】
無線部１０３は、送信データ変調部１０２から入力された送信データを無線周波数にアップコンバートして無線信号を生成し、アンテナ１０９を介して、端末に送信する。また、無線部１０３は、端末から受信した無線信号を、アンテナ１０９を介して受信し、ベースバンド信号にダウンコンバートして、受信データをチャネル推定部１０５と受信データ復調部１０６とに出力する。
【００２３】
スケジューリング部１０４は、論理チャネルとトランスポートチャネルのマッピング、下りリンクおよび上りリンクのスケジューリングなどを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００２４】
また、スケジューリング部１０４は、下りリンクのスケジューリングでは、端末から受信した上りリンク制御情報や上位層１０８から入力されたスケジューリング情報などに基づいて、トランスポートチャネルおよび物理チャネルにおける送信制御やスケジューリング情報の生成を行なう。これら下りリンクのスケジューリングに使用されるスケジューリング情報は、データ制御部１０１へ出力される。
【００２５】
また、スケジューリング部１０４は、上りリンクのスケジューリングでは、チャネル推定部１０５が出力する上りリンクのチャネル状態や上位層１０８から入力されたスケジューリング情報などに基づいて、スケジューリング情報の生成を行なう。これら上りリンクのスケジューリングに使用されるスケジューリング情報は、データ制御部１０１へ出力される。
【００２６】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクのトランスポートチャンネルと制御データを、必要に応じて処理した後に、上りリンクの論理チャネルにマッピングし、上位層１０８へ出力する。
【００２７】
また、スケジューリング部１０４は、上りリンク信号に関するパラメータを決定し、決定したパラメータを使用して、端末によって上りリンク信号が生成されたと想定する。また、スケジューリング部１０４は、参照信号に関するパラメータを決定し、決定したパラメータを使用して、端末によって上りリンク参照信号が生成されたと想定する。
【００２８】
チャネル推定部１０５は、上りリンク信号の復調のために、上りリンク参照信号（例えば、復調用参照信号）から上りリンクのチャネル状態を推定し、受信データ復調部１０６に出力する。また、上りリンクのスケジューリングを行なうために、上りリンク参照信号（例えば、サウンディング参照信号）から上りリンクのチャネル状態を推定し、スケジューリング部１０４に出力する。
【００２９】
受信データ復調部１０６は、受信データを復調する。受信データ復調部１０６は、チャネル推定部１０５から入力された上りリンクのチャネル状態の推定結果に基づいて、無線部１０３から入力された変調データに対し、ＤＦＴ変換、サブキャリアマッピング、ＩＦＦＴ変換などの信号処理を行なって、復調処理を施し、データ抽出部１０７に出力する。
【００３０】
データ抽出部１０７は、受信データ復調部１０６から入力された受信データに対して、正誤を確認するとともに、確認結果（例えば、ＡＣＫまたはＮＡＣＫ）をスケジューリング部１０４に出力する。また、データ抽出部１０７は、受信データ復調部１０６から入力されたデータから、トランスポートチャネルと物理層の制御データとに分離して、スケジューリング部１０４に出力する。
【００３１】
上位層１０８は、無線リソース制御（ＲＲＣ；Ｒａｄｉｏ  Ｒｅｓｏｕｒｃｅ  Ｃｏｎｔｒｏｌ）層の処理やＭＡＣ（Ｍｅｄｉａｍ  Ａｃｃｅｓｓ  Ｃｏｎｔｒｏｌ）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００３２】
図２は、本発明の実施形態に係る端末の構成を示す概略ブロック図である。端末は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成される。また、データ制御部２０１、送信データ変調部２０２、無線部２０３、スケジューリング部２０４、上位層２０８、アンテナ２０９で送信部を構成する。また、無線部２０３、スケジューリング部２０４、チャネル推定部２０５、受信データ復調部２０６、データ抽出部２０７、上位層２０８、アンテナ２０９で受信部を構成する。ここで、端末を構成する各部を、ユニットとも呼称する。
【００３３】
データ制御部２０１は、スケジューリング部２０４からトランスポートチャネルを受信する。また、データ制御部２０１は、トランスポートチャネルと物理層で生成される信号を、スケジューリング部２０４から入力されるスケジューリング情報に基づいて、物理チャネルにマッピングする。マッピングされた各データは、送信データ変調部２０２へ出力される。
【００３４】
送信データ変調部２０２は、送信データを変調／符号化する。送信データ変調部２０２は、データ制御部２０１から入力されたデータに対して、変調／符号化、入力信号の直列／並列変換、ＩＦＦＴ処理、ＣＰ挿入などの信号処理を行ない、送信データを生成して、無線部２０３へ出力する。
【００３５】
無線部２０３は、送信データ変調部２０２から入力された送信データを無線周波数にアップコンバートして無線信号を生成し、アンテナ２０９を介して、基地局に送信する。また、無線部２０３は、基地局から受信した無線信号を、アンテナ２０９を介して受信し、ベースバンド信号にダウンコンバートして、受信データを、チャネル推定部２０５および受信データ復調部２０６に出力する。
【００３６】
スケジューリング部１０４は、論理チャネルとトランスポートチャネルのマッピング、下りリンクおよび上りリンクのスケジューリングなどを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００３７】
また、スケジューリング部２０４は、下りリンクのスケジューリングでは、基地局から受信した下りリンク制御情報や上位層２０８から入力されたスケジューリング情報などに基づいて、トランスポートチャネルおよび物理チャネルにおける受信制御やスケジューリング情報の生成を行なう。これら下りリンクのスケジューリングに使用されるスケジューリング情報は、データ制御部２０１へ出力される。
【００３８】
また、スケジューリング部２０４は、上りリンクのスケジューリングでは、基地局から受信した下りリンク制御情報や上位層２０８から入力されたスケジューリング情報などに基づいて、上位層２０８から入力された上りリンクの論理チャネルをトランスポートチャネルにマッピングするためのスケジューリング処理、および、上りリンクのスケジューリングに使用されるスケジューリング情報の生成を行なう。これらスケジューリング情報は、データ制御部２０１へ出力される。
【００３９】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Ｃｙｃｌｉｃ  Ｒｅｄｕｎｄａｎｃｙ  Ｃｈｅｃｋ；巡回冗長検査）パリティビット（単に、ＣＲＣとも呼称される）の確認結果についても、データ制御部２０１へ出力する。
【００４０】
また、スケジューリング部２０４は、上りリンク信号に関するパラメータを決定し、決定したパラメータを使用して上りリンク信号の生成を行う。また、スケジューリング部２０４は、上りリンク参照信号に関するパラメータを決定し、決定したパラメータを使用して上りリンク参照信号の生成を行う。
【００４１】
チャネル推定部２０５は、下りリンク信号の復調のために、下りリンク参照信号（例えば、復調用参照信号）から下りリンクのチャネル状態を推定し、受信データ復調部２０６に出力する。また、受信データ復調部２０６は、無線部２０３から入力された受信データを復調し、データ抽出部２０７に出力する。
【００４２】
データ抽出部２０７は、受信データ復調部２０６から入力された受信データに対して、正誤を確認するとともに、確認結果（例えば、ＡＣＫまたはＮＡＣＫ）をスケジューリング部２０４に出力する。また、データ抽出部２０７は、受信データ復調部２０６から入力された受信データからトランスポートチャネルと物理層の制御データに分離して、スケジューリング部２０４に出力する。
【００４３】
上位層２０８は、無線リソース制御層の処理やＭＡＣ層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００４４】
図３は、本発明の実施形態に係る通信の例を示す概略図である。図３において、端末３０３は、プライマリー基地局３０１および／またはセカンダリー基地局３０２と通信を行う。また、端末３０４は、プライマリー基地局３０１および／またはセカンダリー基地局３０２と通信を行う。
【００４５】
図３において、端末は、基地局に対して上りリンク信号を送信する場合、基地局と端末との間において既知の信号である復調用参照信号（ＤＭＲＳ；Ｄｅｍｏｄｕｌａｔｉｏｎ  Ｒｅｆｅｒｅｎｃｅ  Ｓｉｇｎａｌ）を多重して送信する。ここで、上りリンク信号には、上りリンクデータ（上りリンク共用チャネル（ＵＬ−ＳＣＨ；Ｕｐｌｉｎｋ  Ｓｈａｒｅｄ  Ｃｈａｎｎｅｌ）、上りリンクトランスポートブロック）の信号が含まれる。また、上りリンク信号には、上りリンク制御情報（ＵＣＩ；Ｕｐｌｉｎｋ  Ｃｏｎｔｒｏｌ  Ｉｎｆｏｒｍａｔｉｏｎ）の信号が含まれる。ここで、ＵＬ−ＳＣＨは、トランスポートチャネルである。
【００４６】
ここで、例えば、上りリンクデータは、物理上りリンク共用チャネル（ＰＵＳＣＨ；Ｐｈｙｓｉｃａｌ  Ｕｐｌｉｎｋ  Ｓｈａｒｅｄ  Ｃｈａｎｎｅｌ）にマップされる。また、上りリンク制御情報は、ＰＵＳＣＨまたは物理上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）にマップされる。すなわち、ＰＵＳＣＨの送信（ＰＵＳＣＨでの送信）に関連する復調用参照信号がサポートされる。また、ＰＵＣＣＨの送信（ＰＵＣＣＨでの送信）に関連する復調用参照信号がサポートされる。
【００４７】
以下、ＰＵＣＣＨの送信に関連する復調用参照信号を、第１の参照信号とも記載する。すなわち、第１の参照信号は、ＰＵＣＣＨの復調に使用される。例えば、第１の参照信号は、対応するＰＵＣＣＨがマップされるリソースブロック（物理リソースブロック、物理リソース、リソースとも呼称される）で送信される。
【００４８】
すなわち、端末３０３は、プライマリー基地局３０１へ送信する上りリンク信号に復調用参照信号を多重して、上りリンク３０５を通じて送信する。また、端末３０３は、セカンダリー基地局３０２へ送信する上りリンク信号に復調用参照信号を多重して、上りリンク３０６を通じて送信する。また、端末３０４は、プライマリー基地局３０１へ送信する上りリンク信号に復調用参照信号を多重して、上りリンク３０７を通じて送信する。また、端末３０４は、セカンダリー基地局３０２へ送信する上りリンク信号に復調用参照信号を多重して、上りリンク３０８を通じて送信する。
【００４９】
ここで、端末３０３によって送信される上りリンク信号と、端末３０４によって送信される上りリンク信号が、同一の特性である場合、干渉が生じてしまう。また、端末３０３によって送信される参照信号と、端末３０４によって送信される復調用参照信号が、同一の特性である場合、干渉が生じてしまう。例えば、複数の端末のそれぞれによって送信される復調用参照信号において干渉が生じた場合、上りリンク信号を復調するために利用される伝送路状態の推定精度が大幅に劣化することになる。
【００５０】
そのため、端末３０３によって送信される上りリンク信号と、端末３０４によって送信される上りリンク信号を、直交化させることが望ましい。また、端末３０３によって送信される復調用参照信号と、端末３０４によって送信される復調用参照信号を、直交化させることが望ましい。また、端末３０３によって送信される上りリンク信号と、端末３０４によって送信される上りリンク信号の干渉を、ランダム化させることが望ましい。また、端末３０３によって送信される復調用参照信号と、端末３０４によって送信される復調用参照信号の干渉を、ランダム化させることが望ましい。
【００５１】
ここで、図３において、プライマリー基地局３０１およびセカンダリー基地局３０２に対して、異なる物理レイヤセルアイデンティティ（Ｐｈｙｓｉｃａｌ  ｌａｙｅｒ  ｃｅｌｌ  ｉｄｅｎｔｉｔｙ、物理レイヤセル識別子、Ｃｅｌｌ  ＩＤとも呼称される）を設定することができる（Ｄｉｆｆｅｒｅｎｔ  ｃｅｌｌ  ＩＤとも呼称される）。また、プライマリー基地局３０１およびセカンダリー基地局３０２の全てまたは一部に対して、同一の物理レイヤセルアイデンティティを設定することができる（Ｓｈａｒｅｄ  ｃｅｌｌ  ＩＤ、Ｓａｍｅ  ｃｅｌｌ  ＩＤとも呼称される）。
【００５２】
ここで、図３において、下りリンクと上りリンクにおいて、複数のサービングセル（単に、セルとも呼称される）の集約がサポートされる（キャリアアグリゲーション、または、セルアグリゲーションと呼称される）。例えば、サービングセルそれぞれにおいて、１１０リソースブロックまでの送信帯域幅を使用することができる。ここで、キャリアアグリゲーションにおいて、１つのサービングセルは、プライマリセル（Ｐｃｅｌｌ；Ｐｒｉｍａｒｙ  ｃｅｌｌ）と定義される。また、キャリアアグリゲーションにおいて、プライマリセル以外のサービングセルは、セカンダリセル（Ｓｃｅｌｌ；Ｓｅｃｏｎｄａｒｙ  Ｃｅｌｌ）と定義される。
【００５３】
ここで、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００５４】
また、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００５５】
例えば、プライマリセルは、端末が、初期コネクション確立（ｉｎｉｔｉａｌ  ｃｏｎｎｅｃｔｉｏｎ  ｅｓｔａｂｌｉｓｈｍｅｎｔ）プロシージャを行うセルとして定義される。また、プライマリセルは、端末が、コネクション再確立（ｃｏｎｎｅｃｔｉｏｎ  ｒｅ−ｅｓｔａｂｌｉｓｈｍｅｎｔ）プロシージャを開始するセルとして定義される。また、プライマリセルは、ハンドオーバプロシージャ中に、基地局によってプライマリセルとして指示されるセルとして定義される。例えば、基地局は、プライマリセルを、上位層の信号を使用して端末へ指示することができる。
【００５６】
また、基地局は、上位層の信号を使用して、複数のサービングセルを端末へ設定することができる。すなわち、基地局は、複数のサービングセルで通信することを端末へ指示することができる（キャリアアグリゲーションを使用して通信することを指示することができる）。ここで、基地局は、単一のサービングセルを端末へ設定することもできる。すなわち、基地局は、単一のサービングセルで通信することを端末へ指示することができる。
【００５７】
すなわち、基地局と端末は、あるサブフレームにおいて、複数の物理チャネルでの送受信を行うことができる。ここで、物理チャネルのそれぞれは、いずれか１つのサービングセルに配置される。すなわち、単一の物理チャネルは、複数のサービングセルに配置されない。
【００５８】
例えば、１つのサービングセル（ＤＬＣＣ）に、１つのＰＤＳＣＨが配置されることができる。また、例えば、１つのサービングセル（ＵＬＣＣ）に、１つのＰＵＳＣＨが配置されることができる。例えば、基地局と端末は、あるサブフレームにおいて、複数のＰＤＳＣＨを使用して、下りリンクデータを送受信することができる。また、基地局と端末は、あるサブフレームにおいて、複数のＰＵＳＣＨを使用して、上りリンクデータを送受信することができる。ここで、例えば、ＰＵＣＣＨは、プライマリセルのみに配置される。
【００５９】
図４は、下りリンク信号（下りリンクデータの信号、下りリンク制御情報の信号）の例を示す図である。ここで、図４には、下りリンクデータ（下りリンク共用チャネル（ＤＬ−ＳＣＨ；Ｄｏｗｎｌｉｎｋ  Ｓｈａｒｅｄ  Ｃｈａｎｎｅｌ）、下りリンクトランスポートブロック）がマップされる物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）のリソース領域が示されている。すなわち、ＰＤＳＣＨは、下りリンクデータの送信に使用される。ここで、ＤＬ−ＳＣＨは、トランスポートチャネルである。
【００６０】
また、下りリンク制御情報（ＤＣＩ；Ｄｏｗｎｌｉｎｋ  Ｃｏｎｔｏｌ  Ｉｎｆｏｒｍａｔｉｏｎ）がマップされる物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）のリソース領域が示されている。また、下りリンク制御情報がマップされるＥ−ＰＤＣＣＨ（Ｅｎｈａｎｃｅｄ−ＰＤＣＣＨ）のリソース領域が示されている。
【００６１】
例えば、図４に示すように、ＰＤＣＣＨは、下りリンクのリソース領域における１番目から３番目までのＯＦＤＭシンボルにマップされる。すなわち、ＰＤＣＣＨは、ＰＤＳＣＨと、時間分割多重（ＴＤＭ；Ｔｉｍｅ  Ｄｉｖｉｓｉｏｎ  Ｍｕｌｔｉｐｌｅｘ）される。
【００６２】
また、例えば、Ｅ−ＰＤＣＣＨは、下りリンクのリソース領域における４番目から１２番目のＯＦＤＭシンボルにマップされる。また、Ｅ−ＰＤＣＣＨは、１サブフレームにおける第１スロットと第２スロットにマップされる。すなわち、Ｅ−ＰＤＣＣＨは、ＰＤＳＣＨと、周波数分割多重（ＦＤＭ；Ｆｒｅｑｕｅｎｃｙ  Ｄｉｖｉｓｉｏｎ  Ｍｕｌｔｉｐｌｅｘｉｎｇ）される。以下、Ｅ−ＰＤＣＣＨは、ＰＤＣＣＨに含まれる。
【００６３】
ここで、ＰＤＣＣＨは、下りリンク制御情報を端末へ通知（指定）するために使用される。また、ＰＤＣＣＨで送信される下りリンク制御情報に対して、複数のフォーマットがサポート（定義）される。ここで、下りリンク制御情報のフォーマットは、ＤＣＩフォーマットとも呼称される。
【００６４】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１およびＤＣＩフォーマット１Ａがサポートされる。また、下りリンクに対するＤＣＩフォーマットとして、１つのセルにおける１つのＰＤＳＣＨ（２つまでのＰＤＳＣＨのコードワード、２つまでの下りリンクトランスポートブロックの送信）のスケジューリングに使用されるＤＣＩフォーマット２がサポートされる。
【００６５】
例えば、下りリンクに対するＤＣＩフォーマットには、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。また、下りリンクに対するＤＣＩフォーマットには、仮想セルアイデンティティに関する情報（仮想セルアイデンティティを指示するための情報、ＰＵＣＣＨに関連する基準系列インデックスに関する情報、基準系列識別子に関する情報とも呼称される）が含まれても良い。以下、ＰＤＳＣＨのスケジューリングに使用されるＤＣＩフォーマットを、下りリンクアサインメントとも記載する。
【００６６】
また、例えば、上りリンクに対するＤＣＩフォーマットとして、１つのセルにおける１つのＰＵＳＣＨ（１つのＰＵＳＣＨのコードワード、１つの上りリンクトランスポートブロックの送信）のスケジューリングに使用されるＤＣＩフォーマット０がサポートされる。また、上りリンクに対するＤＣＩフォーマットとして、１つのセルにおける１つのＰＵＳＣＨ（２つまでのＰＵＳＣＨのコードワード、２つまでの上りリンクトランスポートブロックの送信）のスケジューリングに使用されるＤＣＩフォーマット４がサポートされる。
【００６７】
例えば、上りリンクに対するＤＣＩフォーマットには、ＰＵＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。以下、ＰＵＳＣＨのスケジューリングに使用されるＤＣＩフォーマットを、上りリンクグラントとも記載する。
【００６８】
図４において、端末は、ＰＤＣＣＨ候補（ＰＤＣＣＨ  ｃａｎｄｉｄａｔｅｓ）のセットをモニタする。ここで、ＰＤＣＣＨ候補とは、基地局によって、ＰＤＣＣＨが配置および送信される可能性のある候補を示している。また、ＰＤＣＣＨ候補は、１つまたは複数の制御チャネル要素（ＣＣＥ；Ｃｏｎｔｒｏｌ  Ｃｈａｎｎｅｌ  Ｅｌｅｍｅｎｔ）から構成される。また、モニタとは、モニタされる全てのＤＣＩフォーマットに応じて、ＰＤＣＣＨ候補のセット内のＰＤＣＣＨそれぞれに対して、端末がデコードを試みるということを意味する。ここで、端末がモニタするＰＤＣＣＨ候補のセットは、サーチスペースとも呼称される。すなわち、サーチスペースとは、基地局によってＰＤＣＣＨの送信に用いられる可能性のあるリソースのセットである。ここで、サーチスペースは、ＰＤＣＣＨ候補を構成する制御チャネル要素の数毎に対して構成される。
【００６９】
ここで、ＰＤＣＣＨのリソース領域には、コモンサーチスペース（ＣＳＳ；Ｃｏｍｍｏｎ  Ｓｅａｒｃｈ  Ｓｐａｃｅ、共通サーチスペース）とユーザー装置スペシフィックサーチスペース（ＵＳＳ；ＵＥ−Ｓｐｅｃｉｆｉｃ  Ｓｅａｃｈ  Ｓｐａｃｅ、端末固有（端末特有）のサーチスペース）が構成（定義、設定）される。
【００７０】
すなわち、図４において、ＰＤＣＣＨのリソース領域に、ＣＳＳおよび／またはＵＳＳが構成される。また、Ｅ−ＰＤＣＣＨのリソース領域に、ＣＳＳおよび／またはＵＳＳが構成される。端末は、ＰＤＣＣＨのリソース領域のＣＳＳおよび／またはＵＳＳにおいてＰＤＣＣＨをモニタし、自装置宛てのＰＤＣＣＨを検出する。また、端末は、Ｅ−ＰＤＣＣＨのリソース領域のＣＳＳおよび／またはＵＳＳにおいてＥ−ＰＤＣＣＨをモニタし、自装置宛てのＥ−ＰＤＣＣＨを検出する。
【００７１】
ここで、端末は、プライマリセルのみにおけるＣＳＳ（複数のＣＳＳでも良い）でＰＤＣＣＨをモニタする。すなわち、ＣＳＳは、（ある１つの）端末に対して、プライマリセルのみに配置（構成）されても良い。
【００７２】
ここで、ＣＳＳは、複数の端末に対する下りリンク制御情報の送信に用いられる。すなわち、ＣＳＳは、複数の端末に対して共通のリソースによって定義される。例えば、ＣＳＳは、基地局と端末との間において予め定められた番号のＣＣＥから構成される。ここで、ＣＳＳは、特定の端末に対する下りリンク制御情報の送信に用いられても良い。すなわち、基地局は、ＣＳＳにおいて、複数の端末を対象とするＤＣＩフォーマットおよび／または特定の端末を対象とするＤＣＩフォーマットを送信する。
【００７３】
また、ＵＳＳは、特定の端末に対する下りリンク制御情報の送信に用いられる。すなわち、ＵＳＳは、ある端末に対して専用のリソースによって定義される。すなわち、ＵＳＳは、端末のそれぞれに対して独立に定義される。例えば、ＵＳＳは、基地局によって割り当てられた無線ネットワーク一時識別子（ＲＮＴＩ；Ｒａｄｉｏ  Ｎｅｔｗｏｒｋ  Ｔｅｍｐｏｒａｒｙ  Ｉｎｄｅｎｔｉｆｅｒ）や、無線フレームにおけるスロット番号などに基づいて決定された番号のＣＣＥから構成されても良い。ここで、ＲＮＴＩとは、Ｃ−ＲＮＴＩ（Ｃｅｌｌ  ＲＮＴＩ）を示している。また、例えば、ＵＳＳは、基地局によって通知されたＣＣＥから構成されても良い。すなわち、基地局は、ＵＳＳにおいて、特定の端末を対象とするＤＣＩフォーマットを送信する。
【００７４】
ここで、下りリンク制御情報の送信（ＰＤＣＣＨでの送信）には、基地局が端末に割り当てたＲＮＴＩが利用される。具体的には、下りリンク制御情報（ＤＣＩフォーマットでも良い）に基づいて生成されたＣＲＣ（Ｃｙｃｌｉｃ  Ｒｅｄｕｎｄａｎｃｙ  Ｃｈｅｃｋ；巡回冗長検査）パリティビットが下りリンク制御情報に付加され、付加された後に、ＣＲＣパリティビットがＲＮＴＩによってスクランブルされる。ここで、ＣＲＣパリティビットは、ＣＲＣ符号とも呼称される。また、ＣＲＣパリティビットは、ＣＲＣとも呼称される。
【００７５】
端末は、ＲＮＴＩによってスクランブルされたＣＲＣパリティビットを伴う下りリンク制御情報に対してデコードを試み、受信したＣＲＣと生成したＣＲＣが一致した場合に、自装置宛の下りリンク制御情報（ＰＤＣＣＨ）の検出に成功したと判断する（ブラインドデコーディングとも呼称される）。ここで、ＲＮＴＩとは、Ｃ−ＲＮＴＩを示している。すなわち、端末は、Ｃ−ＲＮＴＩによってスクランブルされたＣＲＣを伴うＰＤＣＣＨをデコードする。
【００７６】
ここで、Ｃ−ＲＮＴＩとは、ＲＲＣ（Ｒａｄｉｏ  Ｒｅｓｏｕｒｃｅ  Ｃｏｎｔｒｏｌ、無線リソース制御）接続およびスケジューリングの識別に対して使用されるユニークな（一意的な）識別子である。例えば、Ｃ−ＲＮＴＩは、動的にスケジュールされるユニキャスト送信のために利用される。
【００７７】
端末は、ＰＤＣＣＨで送信された下りリンク制御情報によってＰＤＳＣＨのリソースがスケジュールされた場合、スケジュールされたＰＤＳＣＨで下りリンクデータを受信する。また、端末は、ＰＤＣＣＨで送信された下りリンク制御情報によってＰＵＳＣＨのリソースがスケジュールされた場合、スケジュールされたＰＵＳＣＨで上りリンクデータおよび／または上りリンク制御情報を送信する。
【００７８】
また、端末は、ＰＵＣＣＨで上りリンク制御情報を送信する。ここで、上りリンク制御情報には、下りリンクデータ（下りリンクトランスポートブロック）に対するＡＣＫ／ＮＡＣＫを示す情報（Ｈｙｂｉｒｉｄ  Ａｕｔｏｍａｔｉｃ  Ｒｅｐｅａｔ  ＲｅｑｕｅｓｔにおけるＡＣＫ／ＮＡＣＫを示す情報、ＡＣＫ／ＮＡＣＫ信号、ＨＡＲＱ−ＡＣＫとも記載される）が含まれる。
【００７９】
また、上りリンク制御情報には、下りリンク信号（例えば、ＰＤＳＣＨで送信される下りリンクトランスポートブロック）に対するチャネル状態情報（ＣＳＩ；Ｃｈａｎｎｅｌ  Ｓｔａｔｅ  Ｉｎｆｏｒｍａｔｉｏｎ）が含まれる。また、上りリンク制御情報には、上りリンクデータの送信（例えば、上りリンクデータの初期送信）に対するＵＬ−ＳＣＨのリソースを要求するために使用されるスケジューリングリクエストが含まれる。ここで、上述したように、ＰＵＣＣＨにおける上りリンク制御情報の送信には、第１の参照信号が多重される。
【００８０】
以下、ＰＵＣＣＨにおける上りリンク制御情報の送信に関して記載する。すなわち、以下に記載の実施形態は、ＰＵＣＣＨにおける、ＡＣＫ／ＮＡＣＫを示す情報および／またはチャネル状態情報および／またはスケジューリングリクエストの送信に対して適用できる。
【００８１】
また、基地局と端末は、上位層（Ｈｉｇｈｅｒ  ｌａｙｅｒ）において信号を送受信する。例えば、基地局と端末は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。ここで、ＲＲＣ層において、基地局によって、ある端末に対して送信される専用の信号は、ｄｅｄｉｃａｔｅｄ  ｓｉｇｎａｌ（専用の信号）とも呼称される。すなわち、ある端末に対して固有な（特有な）設定（情報）は、基地局によって、ｄｅｄｉｃａｔｅｄ  ｓｉｇｎａｌを使用して通知される。
【００８２】
また、基地局と端末は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（ｈｉｇｈｅｒ  ｌａｙｅｒ  ｓｉｇｎａｌｉｎｇ）とも呼称される。
【００８３】
また、ＰＵＣＣＨに対して、複数のフォーマットがサポート（定義）される。ここで、ＰＵＣＣＨに対してサポートされるフォーマット（ＰＵＣＣＨがサポートするフォーマット）は、ＰＵＣＣＨフォーマットとも呼称される。
【００８４】
例えば、ＰＵＣＣＨフォーマットとして、ＰＵＣＣＨフォーマット１ａがサポートされる。例えば、端末は、ＰＵＣＣＨフォーマット１ａを使用して、サブフレーム辺りで、１ビットの上りリンク制御情報を送信することができる。ここで、ＰＵＣＣＨフォーマット１ａにおいて、変調方式として、ＢＰＳＫ（Ｂｉｎａｒｙ  Ｐｈａｓｅ  Ｓｈｉｆｔ  Ｋｅｙｉｎｇ）がサポートされる。
【００８５】
また、例えば、ＰＵＣＣＨフォーマットとして、ＰＵＣＣＨフォーマット１ｂがサポートされる。例えば、端末は、ＰＵＣＣＨフォーマット１ｂを使用して、サブフレーム辺りで、２ビットの上りリンク制御情報を送信することができる。ここで、ＰＵＣＣＨフォーマット１ｂにおいて、変調方式として、ＱＰＳＫ（Ｑｕａｄｒａｔｕｒｅ  Ｐｈａｓｅ  Ｓｈｉｆｔ  Ｋｅｙｉｎｇ）がサポートされる。
【００８６】
以下、ＰＵＣＣＨフォーマット１ａまたはＰＵＣＣＨフォーマット１ｂを使用した上りリンク制御情報の送信を、ＰＵＣＣＨフォーマット１ａ／１ｂを使用した上りリンク制御情報の送信とも記載する。また、ＰＵＣＣＨフォーマット１ａ／１ｂを、第１のＰＵＣＣＨフォーマットとも記載する。
【００８７】
例えば、端末は、ＰＤＣＣＨの送信に使用された（下りリンクアサインメントの送信に使用された）最初のＣＣＥの番号（ＰＤＣＣＨを構成するために使用されたｌｏｗｅｓｔ  ＣＣＥ  ｉｎｄｅｘとも呼称される）に対応するＰＵＣＣＨリソース（下記のリソースインデックスｎ(１、ｐ)ＰＵＣＣＨに対応する）を使用して、ＰＵＣＣＨフォーマット１ａ／１ｂで、上りリンク制御情報を送信する。
【００８８】
また、端末は、ＰＤＣＣＨで送信される下りリンク制御情報によって指示されたＰＵＣＣＨリソース（下記のリソースインデックスｎ(１、ｐ)ＰＵＣＣＨに対応する）を使用して、ＰＵＣＣＨフォーマット１ａ／１ｂで、上りリンク制御情報を送信する。
【００８９】
ここで、ＰＤＣＣＨで送信される下りリンク制御情報によって指示されるＰＵＣＣＨリソースは、基地局によって、上位層の信号を使用して設定された複数のＰＵＣＣＨリソース（例えば、４つのＰＵＣＣＨのリソース）の中から指示されても良い。また、ＰＵＣＣＨリソースを指示するために使用される下りリンク制御情報は、セカンダリセルにおけるＰＤＳＣＨをスケジュールするために使用されるＰＤＣＣＨで送信されても良い。
【００９０】
また、端末は、上位層の信号（例えば、ｄｅｄｉｃａｔｅｄ  ｓｉｇｎａｌ）を使用して設定されたＰＵＣＣＨリソース（下記のリソースインデックスｎ(１、ｐ)ＰＵＣＣＨに対応する）を使用して、ＰＵＣＣＨフォーマット１ａ／１ｂで、上りリンク制御情報を送信しても良い。
【００９１】
図５は、ＰＵＣＣＨフォーマット１ａ／１ｂの構造の例を説明する図である。図５において、横軸は時間領域、縦軸は周波数領域を示している。また、時間領域において７つのシンボル（１スロット）、周波数領域において１２サブキャリアから構成される１つの物理リソースブロック（ＰＲＢ；Ｐｈｙｓｉｃａｌ  Ｒｅｓｏｕｒｃｅ  Ｂｌｏｃｋ）を示している。ここで、１サブフレームは、２つのスロット（第１のスロット、第２のスロット）から構成される。また、１シンボル、１サブキャリアから構成される領域は、リソースエレメントとも呼称される。
【００９２】
図５に示すように、ＰＵＣＣＨフォーマット１ａ／１ｂにおいて、上りリンク制御情報には、基準系列にサイクリックシフトが適用された系列（以下、参照信号系列ｒ(αｐ)u,νとも記載する）が乗算される。例えば、上りリンク制御情報に、系列長ＮＰＵＣＣＨｓｅｑ＝１２の参照信号系列が乗算される。
【００９３】
例えば、ＢＰＳＫやＱＰＳＫによって変調された上りリンク制御情報の変調シンボル（複素数シンボルでも良い）ｄ（０）に対して、参照信号系列が、数式１に従って乗算される。すなわち、ＰＵＣＣＨフォーマット１ａ／１ｂでの送信に対して、上りリンク信号（上りリンク制御情報の信号）は、数式１に従って生成される。
【数式１】
【００９４】
2013229771.tif 000003
【００９５】
ここで、Ｐは、ＰＵＣＣＨフォーマット１ａ／１ｂでの送信に対して使用されるアンテナポートの数を示している。また、基準系列と参照信号系列の詳細は後述する。
【００９６】
また、例えば、系列ｙ（ｐ）（ｎ）は、４回繰り返され、繰り返された系列のそれぞれに対して、直交系列（例えば、系列長が４の直交系列）が乗算される。例えば、系列ｙ（ｐ）（ｎ）は、数式２に従って、直交系列が乗算される。すなわち、上りリンク信号（上りリンク制御情報の信号）は、数式２に従って生成される。
【数式２】
【００９７】
2013229771.tif 000004
【００９８】
さらに、系列ｚ（ｐ）が、物理リソースブロックにおける１番目と２番目と６番目と７番目のＳＣ−ＦＤＭＡシンボルのリソース（リソースエレメントのそれぞれ）に、周波数の低い方からマップされる。
【００９９】
また、ＰＵＣＣＨフォーマット１ａ／１ｂでの送信に対して使用されるリソースは、リソースインデックスｎ(１、ｐ)ＰＵＣＣＨによって特定される。ここで、リソースインデックスｎ(１、ｐ)ＰＵＣＣＨから、直交系列インデックスｎ(ｐ)ＯＣ（ｎｓ）とサイクリックシフトαｐ（ｎｓ、ｌ）が決定される。
【０１００】
例えば、ＰＵＣＣＨフォーマット１ａ／１ｂでの送信に対して使用されるリソースは、直交系列インデックスｎ(ｐ)ＯＣ（ｎｓ）とサイクリックシフトαｐ（ｎｓ、ｌ）を決定するリソースインデックスｎ(１、ｐ)ＰＵＣＣＨを使用して、数式３に従って定義される。すなわち、ＰＵＣＣＨフォーマット１ａ／１ｂでの送信に対して、上りリンク信号（上りリンク制御情報の信号）は、数式３に従って生成される。
【数式３】
【０１０１】
2013229771.tif 000005
【０１０２】
ここで、ｎ’Ｐ（ｎｓ）は、リソースインデックスｎ(１、ｐ)ＰＵＣＣＨに基づいて決定される。また、Ｎ’およびΔＰＵＣＣＨｓｈｉｆｔは、基地局によって通知される情報などに基づいて決定される。すなわち、例えば、ＰＵＣＣＨフォーマット１ａ／１ｂでの送信に対して使用されるリソースは、物理リソースブロックと直交系列インデックスとサイクリックシフトに基づいて定義される。
【０１０３】
また、ＰＵＣＣＨフォーマット１ａ／１ｂにおいて、第１の参照信号の系列（ＰＵＣＣＨの復調参照信号系列γ(Ｐ)ＰＵＣＣＨ（・)とも呼称される）は、基準系列にサイクリックシフトが適用された系列（参照信号系列）に基づいて生成される。すなわち、参照信号系列に、直交系列（例えば、系列長が３の直交系列Ｗ（ｍ））が乗算され、第１の参照信号の系列が定義される。例えば、第１の参照信号の系列は、数式４に従って生成される。
【数式４】
【０１０４】
2013229771.tif 000006
【０１０５】
ここで、例えば、ｍ＝０、…、ＮＲＳＰＵＣＣＨ−１によって示される。また、ｎ＝０、…、ＭｓｃＲＳ−１によって示される。また、ｍ‘は、サブフレーム内におけるスロットの番号を示している。また、スロット辺りの参照シンボルの数ＮＲＳＰＵＣＣＨは、仕様などによって定義される。また、ＭｓｃＲＳは、参照信号系列の長さであり、例えば、ＭｓｃＲＳ＝ＮｓｃＲＢによって表される。ここで、ＮｓｃＲＢは、基地局によって割り当てられた周波数領域におけるリソースブロックのサイズであり、サブキャリアの数によって定義される。
【０１０６】
さらに、ＰＵＣＣＨフォーマット１ａ／１ｂでの送信に対して、第１の参照信号に対に適用されるサイクリックシフトαＰ（ｎｓ、ｌ）は、数式５によって定義される。すなわち、ＰＵＣＣＨフォーマット１ａ／１ｂでの送信に対して、第１の参照信号は、数式５に従って生成される。
【数式５】
【０１０７】
2013229771.tif 000007
【０１０８】
ここで、ｎｓは、１無線フレームの中のスロット番号を示している。また、ｌは、１スロットの中のＳＣ−ＦＤＭＡシンボルの番号を示している。また、ｎ’Ｐ（ｎｓ）は、リソースインデックスｎ(１、ｐ)ＰＵＣＣＨに基づいて決定される。また、Ｎ’およびΔＰＵＣＣＨｓｈｉｆｔは、基地局によって通知される情報などに基づいて決定される。また、スロット辺りの参照シンボルの数ＮＲＳＰＵＣＣＨは、仕様などによって定義される。また、サイクリックシフトｎｃｓｃｅｌｌ（ｎｓ、ｌ）の詳細は後述する。
【０１０９】
ここで、第１の参照信号の系列は、物理リソースブロックにおける３番目と４番目と５番目のＳＣ−ＦＤＭＡシンボルのリソース（リソースエレメントのそれぞれ）にマップされる。
【０１１０】
また、例えば、ＰＵＣＣＨフォーマットとして、ＰＵＣＣＨフォーマット３がサポートされる。例えば、端末は、ＰＵＣＣＨフォーマット３を使用して、サブフレーム辺りで、４８ビットの上りリンク制御情報を送信することができる。ここで、ＰＵＣＣＨフォーマット３において、変調方式として、ＱＰＳＫがサポートされる。ここで、ＰＵＣＣＨフォーマット３を、第２のＰＵＣＣＨフォーマットとも記載する。
【０１１１】
例えば、端末は、ＰＤＣＣＨで送信される下りリンク制御情報によって指示されたＰＵＣＣＨリソース（下記のリソースインデックスｎ(３、ｐ)ＰＵＣＣＨに対応する）を使用して、ＰＵＣＣＨフォーマット３で、上りリンク制御情報を送信する。
【０１１２】
ここで、ＰＤＣＣＨで送信される下りリンク制御情報によって指示されるＰＵＣＣＨリソースは、基地局によって、上位層の信号を使用して設定された複数のＰＵＣＣＨリソース（例えば、４つのＰＵＣＣＨのリソース）の中から指示されても良い。また、ＰＵＣＣＨリソースを指示するために使用される下りリンク制御情報は、セカンダリセルにおけるＰＤＳＣＨをスケジュールするために使用されるＰＤＣＣＨで送信されても良い。
【０１１３】
また、端末は、上位層の信号（例えば、ｄｅｄｉｃａｔｅｄ  ｓｉｇｎａｌ）を使用して設定されたＰＵＣＣＨリソース（下記のリソースインデックスｎ(３、ｐ)ＰＵＣＣＨに対応する）を使用して、ＰＵＣＣＨフォーマット３で、上りリンク制御情報を送信しても良い。
【０１１４】
図６は、ＰＵＣＣＨフォーマット３の構造の例を説明する図である。図６において、横軸は時間領域、縦軸は周波数領域を示している。また、時間領域において７つのシンボル（１スロット）、周波数領域において１２サブキャリアから構成される１つの物理リソースブロックを示している。ここで、１サブフレームは、２つのスロット（第１のスロット、第２のスロット）から構成される。
【０１１５】
図６に示すように、ＰＵＣＣＨフォーマット３において、上りリンク制御情報には、サイクリックシフトと直交系列が乗算される。例えば、ＱＰＳＫによって変調された上りリンク制御情報の変調シンボル（複素数シンボルでも良い）ｄ（０）、…、ｄ（Ｍｓｙｍｂ−１）に対して、サイクリックシフトｎｃｓｃｅｌｌ（ｎｓ、ｌ）が、数式６に従って乗算される。また、第１のスロットにおいて、直交系列Ｗ（ｐ）ｎｏｃ，０（ｉ）が、数式６に従って乗算される。また、第２のスロットにおいて、直交系列Ｗ（ｐ）ｎｏｃ，１（ｉ）が、数式６に従って乗算される。すなわち、ＰＵＣＣＨフォーマット３での送信に対して、上りリンク信号（上りリンク制御情報の信号）は、数式６に従って生成される。
【数式６】
【０１１６】
2013229771.tif 000008
【０１１７】
ここで、Ｍｓｙｍｂ＝２ＮｓｃＲＢによって示される。ここで、ＮｓｃＲＢは、基地局によって割り当てられた周波数領域におけるリソースブロックのサイズであり、サブキャリアの数によって定義される。また、例えば、ＮＰＵＣＣＨＳＦ、０＝ＮＰＵＣＣＨＳＦ、１＝５によって示される。また、直交系列Ｗ（ｐ）ｎｏｃ，０（ｉ）と直交系列Ｗ（ｐ）ｎｏｃ，１（ｉ）は、下記の数式８に示される量（ｑｕａｎｔｉｔｉy）ｎ(ｐ)ＯＣ、０と量ｎ(ｐ)ＯＣ、１に基づいて決定される。
【０１１８】
さらに、ＰＵＣＣＨフォーマット３において、数式６に従って生成された系列ｙ（ｐ）ｎ（ｉ）のそれぞれは、数式７に従って、サイクリックにシフトされる。すなわち、ＰＵＣＣＨフォーマット３での送信に対して、上りリンク信号（上りリンク制御情報の信号）は、数式７に従って生成される。
【数式７】
【０１１９】
2013229771.tif 000009
【０１２０】
また、数式７に従って生成された系列ｙ￣（ｐ）ｎ（ｉ）に、ＤＦＴ（Ｄｉｓｃｒｅｔｅ  Ｆｏｕｒｉｅｒ  Ｔｒａｎｓｆｒｏｍ）プリコーディング処理が施され、物理リソースブロックにおける１番目と３番目と４番目と５番目と７番目のＳＣ−ＦＤＭＡシンボルのリソース（リソースエレメントのそれぞれ）に、周波数の低い方からマップされる。
【０１２１】
また、ＰＵＣＣＨフォーマット３での送信に対して使用されるリソースは、リソースインデックスｎ(３、ｐ)ＰＵＣＣＨによって特定される。ここで、リソースインデックスｎ(３、ｐ)ＰＵＣＣＨから、量ｎ(ｐ)ＯＣ、０と量ｎ(ｐ)ＯＣ、１が生成される。
【０１２２】
例えば、ＰＵＣＣＨフォーマット３での送信に対して使用されるリソースは、量ｎ(ｐ)ＯＣ、０と量ｎ(ｐ)ＯＣ、１を生成するリソースインデックスｎ(３、ｐ)ＰＵＣＣＨを使用して、数式８に従って定義される。すなわち、ＰＵＣＣＨフォーマット３での送信に対して、上りリンク信号（上りリンク制御情報の信号）は、数式８に従って生成される。
【数式８】
【０１２３】
2013229771.tif 000010
【０１２４】
すなわち、例えば、ＰＵＣＣＨフォーマット３での送信に対して使用されるリソースは、物理リソースブロックと直交系列インデックスに基づいて定義される。
【０１２５】
また、ＰＵＣＣＨフォーマット３において、第１の参照信号の系列は、ＰＵＣＣＨフォーマット１ａ／１ｂと同様に、基準系列にサイクリックシフトが適用された系列（参照信号系列）に基づいて生成される。すなわち、ＰＵＣＣＨフォーマット３において、第１の参照信号の系列は、数式４に従って定義される。
【０１２６】
ここで、数式４において、ＰＵＣＣＨフォーマット３での送信に対して、第１の参照信号に適用されるサイクリックシフトαＰ（ｎｓ、ｌ）は、数式９によって定義される。すなわち、ＰＵＣＣＨフォーマット３での送信に対して、第１の参照信号は、数式９に従って生成される。
【数式９】
【０１２７】
2013229771.tif 000011
【０１２８】
ここで、ｎ’Ｐ（ｎｓ）は、リソースインデックスｎ(３、ｐ)ＰＵＣＣＨに基づいて決定される。さらに、第１の参照信号の系列は、物理リソースブロックにおける３番目と４番目と５番目のＤＦＴ−Ｓｐｒｅａｄ  ＯＦＤＭシンボルのリソース（リソースエレメントのそれぞれ）にマップされる。
【０１２９】
以下、基準系列と参照信号系列の詳細を記載する。上述の通り、参照信号系列は、基準系列のサイクリックシフトによって定義される。また、基準系列は、ＰＵＣＣＨフォーマット１ａ／１ｂで送信される上りリンク信号（上りリンク制御情報の信号）の生成に使用される。また、基準系列は、ＰＵＣＣＨフォーマット１ａ／１ｂでの送信における第１の参照信号の生成に使用される。また、基準系列は、ＰＵＣＣＨフォーマット３での送信における第１の参照信号の生成に使用される。
【０１３０】
例えば、参照信号系列ｒ(α)u,νは、基準系列ｒ￣(α)u,ν(ｎ)を使用して、数式１０に従って生成される。
【数式１０】
【０１３１】
2013229771.tif 000012
【０１３２】
すなわち、異なるサイクリックシフトαの値によって、単一の基準系列から複数の参照信号系列が定義される。ここで、ＭｓｃＲＳは、参照信号系列の長さであり、例えば、ＭｓｃＲＳ＝ＮｓｃＲＢによって表される。ここで、ＮｓｃＲＢは、基地局によって割り当てられた周波数領域におけるリソースブロックのサイズであり、サブキャリアの数によって定義される。
【０１３３】
また、基準系列は、グループに分割される。すなわち、基準系列は、グループ番号（系列グループ番号とも呼称される）ｕと、グループ内の基準系列番号νによって表される。例えば、基準系列は、３０のグループに分割され、それぞれのグループにおいて２つの基準系列が含まれる。ここで、例えば、３０のグループに対して、系列グループホッピングが適用される。
【０１３４】
また、参照信号系列の長さが６ＮｓｃＲＢ以上の場合にのみ、グループ内の２つの基準系列に対して、系列ホッピングが適用される。ここで、第１の参照信号の系列の長さは、１×ＮｓｃＲＢであり、系列ホッピングは適用されない。すなわち、ＰＵＣＣＨに関連する基準系列番号νは、常にν＝０によって与えられる。
【０１３５】
例えば、基準系列は、数式１１によって与えられる。すなわち、基準系列の定義は、参照信号系列の長さに依存する。
【数式１１】
【０１３６】
2013229771.tif 000013
【０１３７】
ここで、ｑ番目のルートＺａｄｏｆｆ−Ｃｈｕ系列ｘｑ（ｍ）は、数式１２によって定義される。
【数式１２】
【０１３８】
2013229771.tif 000014
【０１３９】
また、ｑは数式１３によって与えられる。
【数式１３】
【０１４０】
2013229771.tif 000015
【０１４１】
ここで、Ｚａｄｏｆｆ−Ｃｈｕ系列の長さＮＺＣＲＳは、ＮＺＣＲＳ＜ＭｓｃＲＳを満たす最大の素数によって与えられる。
【０１４２】
また、スロットｎｓにおける系列グループ番号ｕは、グループホッピングパターンｆｇｈ（ｎｓ）と系列シフトパターンｆｓｓによって、数式１４に従って定義される。
【数式１４】
【０１４３】
2013229771.tif 000016
【０１４４】
ここで、基地局は、系列グループホッピング（グループホッピングとも呼称される）の有効または無効を端末へ指示することができる。また、端末は、基地局によって系列グループホッピングを有効にするように指示された場合には、参照信号系列のグループをスロット毎にホッピングさせる。
【０１４５】
ここで、例えば、グループホッピングパターンｆｇｈ（ｎｓ）は、数式１５によって与えられる。
【数式１５】
【０１４６】
2013229771.tif 000017
【０１４７】
ここで、例えば、擬似ランダム系列ｃ（ｉ）は、長さ３１のゴールド系列によって定義され、数式１６によって与えられる。
【数式１６】
【０１４８】
2013229771.tif 000018
【０１４９】
ここで、例えば、Ｎｃ＝１６００である。また、第１のｍ系列ｘ１は、ｘ１（０）＝１、ｘ１（ｎ）＝０、ｎ＝１、２、…、３０によって初期化される。また、第２のｍ系列ｘ２は、数式１７によって初期化される。
【数式１７】
【０１５０】
2013229771.tif 000019
【０１５１】
ここで、ｃinitは、数式１８で定義される。すなわち、グループホッピングパターンｆｇｈ（ｎｓ）の擬似ランダム系列は、数式１８（１）または数式１８（２）によって初期化される。
【数式１８】
【０１５２】
2013229771.tif 000020
【０１５３】
ここで、数式１８（１）または数式１８（２）のいずれを使用するのかの詳細については後述する。また、物理レイヤセルアイデンティティＮＩＤｃｅｌｌおよびパラメータ“Ｘ”の詳細は後述する。
【０１５４】
すなわち、基準系列は、数式１８に従って生成される。すなわち、ＰＵＣＣＨフォーマット１ａ／１ｂで送信される上りリンク信号（上りリンク制御情報の信号）は、数式１８に従って生成される。また、ＰＵＣＣＨフォーマット１ａ／１ｂでの送信における第１の参照信号は、数式１８に従って生成される。また、ＰＵＣＣＨフォーマット３での送信における第１の参照信号は、数式１８に従って生成される。
【０１５５】
また、ＰＵＣＣＨに対して、系列シフトパターンｆｓｓＰＵＣＣＨは、数式１９によって与えられる。すなわち、系列シフトパターンは、数式１９（１）または数式１９（２）によって初期化される。
【数式１９】
【０１５６】
2013229771.tif 000021
【０１５７】
ここで、数式１９（１）または数式１９（２）のいずれを使用するのかの詳細については後述する。
【０１５８】
すなわち、基準系列は、数式１９に従って生成される。すなわち、ＰＵＣＣＨフォーマット１ａ／１ｂで送信される上りリンク信号（上りリンク制御情報の信号）は、数式１９に従って生成される。また、ＰＵＣＣＨフォーマット１ａ／１ｂでの送信における第１の参照信号は、数式１９に従って生成される。また、ＰＵＣＣＨフォーマット３での送信における第１の参照信号は、数式１９に従って生成される。
【０１５９】
以下、サイクリックシフトｎｃｓｃｅｌｌ（ｎｓ、ｌ）の詳細を記載する。上述の通り、サイクリックシフトｎｃｓｃｅｌｌ（ｎｓ、ｌ）は、ＰＵＣＣＨフォーマット１ａ／１ｂで送信される上りリンク信号（上りリンク制御情報の信号）の生成に使用される。また、サイクリックシフトｎｃｓｃｅｌｌ（ｎｓ、ｌ）は、ＰＵＣＣＨフォーマット３で送信される上りリンク信号（上りリンク制御情報の信号）の生成に使用される。また、サイクリックシフトｎｃｓｃｅｌｌ（ｎｓ、ｌ）は、ＰＵＣＣＨフォーマット１ａ／１ｂでの送信における第１の参照信号の生成に使用される。また、サイクリックシフトｎｃｓｃｅｌｌ（ｎｓ、ｌ）は、ＰＵＣＣＨフォーマット３での送信における第１の参照信号の生成に使用される。
【０１６０】
例えば、サイクリックシフトｎｃｓｃｅｌｌ（ｎｓ、ｌ）は、数式２０によって定義される。上述の通り、ｎｓは、１無線フレームの中のスロット番号を示している。また、ｌは、１スロットの中のＳＣ−ＦＤＭＡシンボルの番号を示している。すなわち、サイクリックシフトｎｃｓｃｅｌｌ（ｎｓ、ｌ）は、スロット番号およびＳＣ−ＦＤＭＡシンボル番号に応じて、異なる値をとる。
【数式２０】
【０１６１】
2013229771.tif 000022
【０１６２】
ここで、ＮｓｙｍｂＵＬは、上りリンクスロットにおけるＳＣ−ＦＤＭＡシンボルの数を示している。ここで、数式２０における擬似ランダム系列ｃ（ｉ）は、数式１６によって定義される。また、数式１６における第２のｍ系列ｘ２は、数式１７によって初期化される。
【０１６３】
すなわち、数式２０を使用することによって、ＰＵＣＣＨフォーマット１ａ／１ｂでの上りリンク制御情報の送信に対して、サイクリックシフトホッピングが適用される。また、ＰＵＣＣＨフォーマット３での上りリンク制御情報の送信に対して、サイクリックシフトホッピングが適用される。
【０１６４】
また、数式２０を使用することによって、ＰＵＣＣＨフォーマット１ａ／１ｂに関連する第１の参照信号の送信に対して、サイクリックシフトホッピングが適用される。また、ＰＵＣＣＨフォーマット３に関連する第１の参照信号の送信に対して、サイクリックシフトホッピングが適用される。
【０１６５】
ここで、サイクリックシフトｎｃｓｃｅｌｌ（ｎｓ、ｌ）に対して、ｃinitは、数式２１で定義される。すなわち、サイクリックシフトｎｃｓｃｅｌｌ（ｎｓ、ｌ）の擬似ランダム系列は、数式２１（１）または数式２１（２）によって初期化される。
【数式２１】
【０１６６】
2013229771.tif 000023
【０１６７】
ここで、数式２１（１）または数式２１（２）のいずれを使用するのかの詳細については後述する。
【０１６８】
すなわち、サイクリックシフトｎｃｓｃｅｌｌ（ｎｓ、ｌ）は、数式２１に従って生成される。すなわち、ＰＵＣＣＨフォーマット１ａ／１ｂで送信される上りリンク信号（上りリンク制御情報の信号）は、数式２１に従って生成される。また、ＰＵＣＣＨフォーマット３で送信される上りリンク信号（上りリンク制御情報の信号）は、数式２１に従って生成される。また、ＰＵＣＣＨフォーマット１ａ／１ｂでの送信における第１の参照信号は、数式２１に従って生成される。また、ＰＵＣＣＨフォーマット３での送信における第１の参照信号は、数式２１に従って生成される。
【０１６９】
以下、物理レイヤセルアイデンティティＮＩＤｃｅｌｌおよびパラメータ“Ｘ”の詳細を記載する。上述の数式において、ＮＩＤｃｅｌｌは、物理レイヤセルアイデンティティ（Ｐｈｙｓｉｃａｌ  ｌａｙｅｒ  ｃｅｌｌ  ｉｄｅｎｔｉｔｙ、物理レイヤセル識別子とも呼称される）を示している。
【０１７０】
すなわち、物理レイヤセルアイデンティティは、セル固有（セル特有）なアイデンティティ（パラメータ）を示している。また、物理レイヤセルアイデンティティは、基地局固有（基地局特有）なアイデンティティ（パラメータ）を示している。また、物理レイヤセルアイデンティティは、セルの物理レイヤアイデンティティを示している。ここで、例えば、物理レイヤセルアイデンティティは、プライマリセルに対応する物理レイヤセルアイデンティティであっても良い。
【０１７１】
例えば、端末は、物理レイヤセルアイデンティティを、同期信号（Ｓｙｎｃｈｒｏｎｉｚａｔｉｏｎ  ｓｉｇｎａｌｓ）を用いて検出することができる。また、端末は、基地局によって送信される上位層の信号（例えば、バンドオーバーコマンド）に含まれる情報から、物理レイヤセルアイデンティティを取得することができる。
【０１７２】
すなわち、物理レイヤセルアイデンティティは、ＰＵＣＣＨに関するパラメータ（ＰＵＣＣＨで送信される上りリンク信号（上りリンク制御情報の信号）の生成に関するパラメータ）である。また、物理レイヤセルアイデンティティは、ＰＵＣＣＨフォーマット１ａ／１ｂで送信される上りリンク信号（上りリンク制御情報の信号）の生成に関するパラメータである。また、物理レイヤセルアイデンティティは、ＰＵＣＣＨフォーマット３で送信される上りリンク信号（上りリンク制御情報の信号）の生成に関するパラメータである。
【０１７３】
また、物理レイヤセルアイデンティティは、上りリンク参照信号の系列に関するパラメータ（上りリンク参照信号の系列の生成に関するパラメータ）である。すなわち、物理レイヤセルアイデンティティ、第１の参照信号に関するパラメータ（第１の参照信号の系列の生成に関するパラメータ）である。
【０１７４】
また、上述の数式において、パラメータ“Ｘ”（パラメータ“Ｘ”の値）は、仮想セルアイデンティティ（Ｖｉｒｔｕａｌ  ｃｅｌｌ  ｉｄｅｎｔｉｔｙ、仮想セル識別子とも呼称される）を示している。すなわち、パラメータ“Ｘ”は、端末固有（端末特有）なアイデンティティ（パラメータ）を示している。
【０１７５】
すなわち、パラメータ“Ｘ”は、ＰＵＣＣＨに関するパラメータ（ＰＵＣＣＨで送信される上りリンク信号の生成に関するパラメータ）である。また、パラメータ“Ｘ”は、ＰＵＣＣＨフォーマット１ａ／１ｂで送信される上りリンク信号（上りリンク制御情報の信号）の生成に関するパラメータである。また、パラメータ“Ｘ”は、ＰＵＣＣＨフォーマット３で送信される上りリンク信号（上りリンク制御情報の信号）の生成に関するパラメータである。
【０１７６】
また、パラメータ“Ｘ”は、上りリンク参照信号の系列に関するパラメータ（上りリンク参照信号の系列の生成に関するパラメータ）である。すなわち、パラメータ“Ｘ”は、第１の参照信号に関するパラメータ（第１の参照信号の系列の生成に関するパラメータ）である。
【０１７７】
ここで、基地局は、パラメータ“Ｘ”を、上位層の信号を使用して端末へ設定することができる。例えば、基地局は、パラメータ“Ｘ”を、ｄｅｄｉｃａｔｅｄ  ｓｉｇｎａｌを使用して端末へ設定することができる。また、基地局は、パラメータ“Ｘ”を、ＰＤＣＣＨで送信される下りリンク制御情報（以下、仮想セルアイデンティティに関する情報とも記載する）を使用して指示しても良い。すなわち、パラメータ“Ｘ”を指示するための下りリンク制御情報が、下りリンクアサインメントに含まれる。
【０１７８】
さらに、基地局は、複数のパラメータ“Ｘ”を上位層の信号を使用して設定し、設定した複数のパラメータ“Ｘ”の中から１つのパラメータ“Ｘ”を、ＰＤＣＣＨで送信される仮想セルアイデンティティに関する情報を使用して指示しても良い。例えば、基地局は、複数のパラメータ“Ｘ”として（Ｘ０）と（Ｘ１）を設定し、ＰＤＣＣＨで送信される仮想セルアイデンティティに関する情報（例えば、１ビットの情報）を使用して、（Ｘ０）または（Ｘ１）を指示することができる。
【０１７９】
ここで、仮想セルアイデンティティに関する情報は、基地局によって設定された場合にのみ、下りリンクアサインメントに含まれても良い。例えば、基地局は、仮想セルアイデンティティに関する情報が、下りリンクアサインメントに含まれるかどうかを、上位層の信号を使用して端末へ設定することができる。
【０１８０】
また、基地局は、下りリンクの送信モード（例えば、ＰＤＳＣＨにおける送信モード）および／または上りリンクの送信モード（例えば、ＰＵＳＣＨにおける送信モード）を上位層の信号を使用して設定することによって、仮想セルアイデンティティに関する情報が、下りリンクアサインメントに含まれるかどうかを、指示することができる。
【０１８１】
すなわち、端末は、ある特定の下りリンクの送信モードおよび／または上りリンクの送信モードが設定された場合にのみ、仮想セルアイデンティティに関する情報が、下りリンクアサインメントに含まれることを識別することができる。ここで、ある特定の下りリンクの送信モードおよび／または上りリンクの送信モードは、予め仕様などによって定義され、基地局と端末との間で既知の情報としておくことができる。
【０１８２】
また、基地局は、仮想セルアイデンティティに関する情報を、ユーザー装置スペシフィックサーチスペースで送信する下りリンクアサインメントにのみ含めてもよい。すなわち、端末は、ユーザー装置スペシフィックサーチスペースで送信される下りリンクアサインメントのみに対して、仮想セルアイデンティティに関する情報が含まれていると想定する。すなわち、端末は、コモンサーチスペースで送信される下りリンクアサインメントに対して、仮想セルアイデンティティに関する情報（仮想セルアイデンティティに関する情報に対するフィールド）を識別しない（無視する）。
【０１８３】
ここで、パラメータ“Ｘ”には、デフォルト値が設定されても良い。すなわち、端末は、基地局によってパラメータ“Ｘ”が設定されるまでは、デフォルト値を使用することができる。ここで、デフォルト値は、予め仕様などによって定義され、基地局と端末との間で既知の情報としておくことができる。例えば、パラメータ“Ｘ”のデフォルト値は、物理レイヤセルアイデンティティであっても良い。また、例えば、パラメータ“Ｘ”のデフォルト値は、プライマリセルに対応する物理レイヤセルアイデンティティであっても良い。
【０１８４】
図７は、ＰＵＣＣＨフォーマット１ｂを使用したチャネル選択（ＰＵＣＣＨ  ｆｏｒｍａｔ  １ｂ  ｗｉｔｈ  ｃｈａｎｎｅｌ  ｓｅｌｅｃｔｉｏｎ）による上りリンク制御情報（ここでは、下りリンクデータに対するＡＣＫ／ＮＡＣＫを示す情報）の送信の例を説明する図である。
【０１８５】
例えば、基地局と端末は、図７に示すようなテーブルを使用することによって、上りリンク制御情報を送受信する。ここで、図７に示すようなテーブルは、仕様等によって予め定義され、基地局と端末の間で既知の情報としておくことができる。
【０１８６】
例えば、基地局と端末は、ＡＣＫ／ＮＡＣＫを示す情報の数に応じて、２つのＡＣＫ／ＮＡＣＫを示す情報を送信する際に使用するテーブル、３つのＡＣＫ／ＮＡＣＫを示す情報を送信する際に使用するテーブル、４つのＡＣＫ／ＮＡＣＫを示す情報を送信する際に使用するテーブルを切り替える。ここで、例えば、ＡＣＫ／ＮＡＣＫを示す情報の数は、基地局によって設定されたサービングセルの数や、基地局によって設定された各サービングセルにおける下りリンク送信モードなどに基づいて、決定される。
【０１８７】
図７は、例として、４つのＡＣＫ／ＮＡＣＫを示す情報を送信する際に使用するテーブル（例えば、４ビットで表される１６種類のＡＣＫ／ＮＡＣＫの組み合わせを表すテーブル）を示している。ここで、図７において、端末は、基地局によって割り当てられた複数のＰＵＣＣＨリソースの中から１つのＰＵＣＣＨリソースを選択し、選択したＰＵＣＣＨリソースを使用して、２ビットの情報（ＱＰＳＫ信号）を送信する。すなわち、ＰＵＣＣＨのフォーマットとして、ＰＵＣＣＨフォーマット１ｂが使用される。
【０１８８】
ここで、端末は、あるサブフレームにおいて送信された（複数の）下りリンクデータに対するＡＣＫ／ＮＡＣＫを示す情報に応じて、基地局によって割り当てられた複数のＰＵＣＣＨリソースの中から１つのＰＵＣＣＨリソースと、（選択した、決定した）ＰＵＣＣＨリソースで送信されるビット系列を選択（決定）する。
【０１８９】
すなわち、端末は、選択したＰＵＣＣＨリソースで、選択したビット系列（ビット系列から生成されたＱＰＳＫ信号）を送信することによって、下りリンクデータに対するＡＣＫ／ＮＡＣＫを示す情報を送信することができる。すなわち、端末によって、選択されたＰＵＣＣＨリソースと選択されたビット系列によって、下りリンクデータに対するＡＣＫ／ＮＡＣＫを示す情報が表される。
【０１９０】
ここで、例えば、図７において、ＨＡＲＱ−ＡＣＫ（０）が、プライマリセルにおけるＰＤＳＣＨで送信された第１のトランスポートブロックに対するＡＣＫ／ＮＡＣＫを示す情報を示していると定義することができる。また、ＨＡＲＱ−ＡＣＫ（１）が、プライマリセルにおけるＰＤＳＣＨで送信された第２のトランスポートブロックに対するＡＣＫ／ＮＡＣＫを示す情報を示していると定義することができる。また、ＨＡＲＱ−ＡＣＫ（２）が、セカンダリセルにおけるＰＤＳＣＨで送信された第１のトランスポートブロックに対するＡＣＫ／ＮＡＣＫを示す情報を示していると定義することができる。また、ＨＡＲＱ−ＡＣＫ（３）が、セカンダリセルにおけるＰＤＳＣＨで送信された第１のトランスポートブロックに対するＡＣＫ／ＮＡＣＫを示す情報を示していると定義することができる。
【０１９１】
例えば、図７に示すように、端末は、プライマリセルにおけるＰＤＳＣＨで送信された第１のトランスポートブロックに対してＡＣＫ、プライマリセルにおけるＰＤＳＣＨで送信された第２のトランスポートブロックに対してＮＡＣＫ、セカンダリセルにおけるＰＤＳＣＨで送信された第１のトランスポートブロックに対してＡＣＫ、セカンダリセルにおけるＰＤＳＣＨで送信された第２のトランスポートブロックに対してＮＡＣＫ、を示す情報を送信する場合には、基地局によって割り当てられた４つのＰＵＣＣＨリソース（リソース０、リソース１、リソース２、リソース３）の中からリソース２を選択し、選択したリソース２で“００”を送信する。
【０１９２】
ここで、基地局は、ＰＵＣＣＨフォーマット３を使用して上りリンク制御情報を送信するのか、ＰＵＣＣＨフォーマット１ｂを使用したチャネル選択によって上りリンク制御情報を送信するのか、を端末へ設定することができる。例えば、基地局は、上位層の信号を使用して、ＰＵＣＣＨフォーマット３を使用して上りリンク制御情報を送信するのか、ＰＵＣＣＨフォーマット１ｂを使用したチャネル選択によって上りリンク制御情報を送信するのか、を端末へ設定することができる。
【０１９３】
また、例えば、端末は、ＰＵＣＣＨフォーマット３を使用して、２０までのＡＣＫ／ＮＡＣＫを示す情報を基地局に送信することができる。また、例えば、端末は、ＰＵＣＣＨフォーマット１ｂを使用したチャネル選択を使用して、４つまでのＡＣＫ／ＮＡＣＫを示す情報を基地局に送信することができる。すなわち、例えば、端末は、５つ以上のＡＣＫ／ＮＡＣＫを示す情報を基地局に送信する場合には、ＰＵＣＣＨフォーマット３を使用する。
【０１９４】
以下、ＰＵＣＣＨフォーマット１ａ／１ｂを使用した上りリンク制御情報の送信方法を、第１の送信方法とも記載する。また、ＰＵＣＣＨフォーマット３を使用した上りリンク制御情報の送信方法を、第２の送信方法とも記載する。また、ＰＵＣＣＨフォーマット１ｂを使用したチャネル選択による上りリンク制御情報の送信方法を、第３の送信方法とも記載する。すなわち、ＰＵＣＣＨフォーマット１ｂを使用したチャネル選択による上りリンク制御情報の送信方法は、第１の送信方法に含まれない。
【０１９５】
また、物理レイヤセルアイデンティティを、第１のパラメータとも記載する。また、パラメータ“Ｘ”を、第２のパラメータとも記載する。
【０１９６】
図８は、本実施形態を説明する図である。ここで、図８を使用して、上述の数式において、第１のパラメータ（すなわち、物理レイヤセルアイデンティティ）を使用するのか、第２のパラメータ（すなわち、パラメータ“Ｘ”）を使用するのかの詳細について説明する。
【０１９７】
ここで、例えば、図８において、端末は、複数のサービングセルとＰＵＣＣＨフォーマット３を使用した上りリンク制御情報の送信を、基地局によって設定（指示）される。また、図８において、端末は、Ｃ−ＲＮＴＩによってスクランブルされたＣＲＣを伴うＰＤＣＣＨを検出する。
【０１９８】
図８に示すように、端末は、ＰＤＳＣＨに対する上りリンク制御情報を送信する場合に、ＰＤＣＣＨで送信された下りリンク制御情報が、どのサービングセルにおけるＰＤＳＣＨの送信（ＰＤＳＣＨでの送信）を指示（スケジュール）しているのか、に応じて、該ＰＤＳＣＨに対する上りリンク制御情報の送信に対して、第１のパラメータを使用するのか、第２のパラメータを使用するのか、を切り換える。
【０１９９】
すなわち、端末は、ＰＤＳＣＨに対する上りリンク制御情報を送信する場合に、ＰＤＣＣＨで送信された下りリンク制御情報が、どのサービングセルにおけるＰＤＳＣＨの送信を指示しているのか、に応じて、上述の数式において、第１のパラメータを使用するのか、第２のパラメータを使用するのか、を切り換える。
【０２００】
ここで、ＰＤＣＣＨで送信された下りリンク制御情報が、どのサービングセルにおけるＰＤＳＣＨの送信を指示（スケジュール）しているのか、とは、ＰＤＣＣＨで送信された下りリンク制御情報が、どのサービングセルのＰＤＳＣＨにおける下りリンクデータの送信を指示（スケジュール）しているのか、と同様である。
【０２０１】
また、図８に示すように、端末は、ＰＤＳＣＨに対する上りリンク制御情報を送信する場合に、ＰＤＣＣＨで送信された下りリンク制御情報が、どのサービングセルにおけるＰＤＳＣＨの送信を指示しているのか、に応じて、該ＰＤＳＣＨに対する上りリンク制御情報の送信に対して、ＰＵＣＣＨフォーマット１ａ／１ｂを使用するのか、ＰＵＣＣＨフォーマット３を使用するのか、を切り換える。
【０２０２】
ここで、端末は、ＰＵＣＣＨフォーマット１ａ／１ｂを使用して上りリンク制御情報を送信する場合には、リソースインデックスｎ(１)ＰＵＣＣＨで示されるＰＵＣＣＨリソースを使用する。また、端末は、ＰＵＣＣＨフォーマット３を使用して上りリンク制御情報を送信する場合には、リソースインデックスｎ(３)ＰＵＣＣＨで示されるＰＵＣＣＨリソースを使用する。
【０２０３】
すなわち、端末は、ＰＤＣＣＨで送信された下りリンク制御情報が、どのサービングセルにおけるＰＤＳＣＨの送信を指示しているのか、に応じて、異なるＰＵＣＣＨリソースを使用して上りリンク制御情報を送信する。
【０２０４】
また、図８に示すように、端末は、ＰＤＳＣＨに対する上りリンク制御情報を送信する場合に、どのサーチスペース（コモンサーチスペース、または、ユーザー装置スペシフィックサーチスペース）でＰＤＣＣＨを検出したのか、に応じて、該ＰＤＳＣＨに対する上りリンク制御情報の送信に対して、第１のパラメータを使用するのか、第２のパラメータを使用するのか、を切り換える。
【０２０５】
すなわち、端末は、ＰＤＳＣＨに対する上りリンク制御情報を送信する場合に、どのサーチスペースでＰＤＣＣＨを検出したのか、に応じて、上述の数式において、第１のパラメータを使用するのか、第２のパラメータを使用するのか、を切り換える。
【０２０６】
以下、図８における処理フローについて説明する。上述した通り、端末は、第１のパラメータまたは第２のパラメータを使用して、上りリンク信号（上りリンク制御情報の信号）を生成する。また、端末は、第１のパラメータまたは第２のパラメータを使用して、第１の参照信号を生成する。
【０２０７】
図８において、端末は、プライマリセルのみにおける１つのＰＤＳＣＨの送信（１つのＰＤＳＣＨでの送信）を指示する下りリンク制御情報を１つのＰＤＣＣＨで受信したかどうか、を識別（判断）する（ステップ８０１）。すなわち、端末は、プライマリセルのみにおける１つのＰＤＳＣＨをスケジュールする（該１つのＰＤＳＣＨの送信に対応する）１つのＰＤＣＣＨを検出したかどうか、を識別する。
【０２０８】
ここで、端末は、ステップ８０１においてＮｏの場合、第２のパラメータを使用して、上りリンク信号および／または第１の参照信号を生成する（ステップ８０２）。また、端末は、ステップ８０１においてＮｏの場合、ＰＵＣＣＨフォーマット３を使用して、上りリンク信号を送信する（ステップ８０２）。また、端末は、ステップ８０１においてＮｏの場合、ＰＵＣＣＨフォーマット３に関連する第１の参照信号を送信する（ステップ８０２）。
【０２０９】
すなわち、端末は、セカンダリセルにおける１つのＰＤＳＣＨの送信を指示する下りリンク制御情報を１つのＰＤＣＣＨで受信した場合には、第２のパラメータを使用して、上りリンク信号および／または第１の参照信号を生成する。すなわち、端末は、セカンダリセルにおける１つのＰＤＳＣＨの送信を指示する、（該１つのＰＤＳＣＨの送信に対応する）ＰＤＣＣＨを検出した場合には、第２のパラメータを使用して、上りリンク信号および／または第１の参照信号を生成する。
【０２１０】
また、端末は、セカンダリセルにおける１つのＰＤＳＣＨの送信を指示する下りリンク制御情報を１つのＰＤＣＣＨで受信した場合には、ＰＵＣＣＨフォーマット３を使用して、上りリンク信号を送信する。すなわち、端末は、セカンダリセルにおける１つのＰＤＳＣＨの送信を指示する、（該１つのＰＤＳＣＨの送信に対応する）ＰＤＣＣＨを検出した場合には、ＰＵＣＣＨフォーマット３を使用して、上りリンク信号を送信する。
【０２１１】
また、端末は、セカンダリセルにおける１つのＰＤＳＣＨの送信を指示する下りリンク制御情報を１つのＰＤＣＣＨで受信した場合には、ＰＵＣＣＨフォーマット３に関連する第１の参照信号を送信する。すなわち、端末は、セカンダリセルにおける１つのＰＤＳＣＨの送信を指示する、（該１つのＰＤＳＣＨの送信に対応する）ＰＤＣＣＨを検出した場合には、ＰＵＣＣＨフォーマット３に関連する第１の参照信号を送信する。
【０２１２】
また、端末は、プライマリセルおよびセカンダリセルにおける複数のＰＤＳＣＨの送信を指示する下りリンク制御情報を複数のＰＤＣＣＨで受信した場合には、第２のパラメータを使用して、上りリンク信号および／または第１の参照信号を生成する。
【０２１３】
また、端末は、プライマリセルおよびセカンダリセルにおける複数のＰＤＳＣＨの送信を指示する下りリンク制御情報を複数のＰＤＣＣＨで受信した場合には、ＰＵＣＣＨフォーマット３を使用して、上りリンク信号を送信する。また、端末は、プライマリセルおよびセカンダリセルにおける複数のＰＤＳＣＨの送信を指示する下りリンク制御情報を複数のＰＤＣＣＨで受信した場合には、ＰＵＣＣＨフォーマット３に関連する第１の参照信号を送信する。
【０２１４】
例えば、端末は、コモンサーチスペースでプライマリセルにおける１つのＰＤＳＣＨをスケジュールする１つのＰＤＣＣＨを、ユーザー装置スペシフィックサーチスペースでセカンダリセルにおける１つのＰＤＳＣＨをスケジュールする１つのＰＤＣＣＨを、検出した場合には、第２のパラメータを使用して、上りリンク信号および／または第１の参照信号を生成する。
【０２１５】
また、例えば、端末は、コモンサーチスペースでプライマリセルにおける１つのＰＤＳＣＨをスケジュールする１つのＰＤＣＣＨを、ユーザー装置スペシフィックサーチスペースでセカンダリセルにおける１つのＰＤＳＣＨをスケジュールする１つのＰＤＣＣＨを、検出した場合には、ＰＵＣＣＨフォーマット３を使用して、上りリンク信号を送信する。
【０２１６】
また、例えば、端末は、コモンサーチスペースでプライマリセルにおける１つのＰＤＳＣＨをスケジュールする１つのＰＤＣＣＨを、ユーザー装置スペシフィックサーチスペースでセカンダリセルにおける１つのＰＤＳＣＨをスケジュールする１つのＰＤＣＣＨを、検出した場合には、ＰＵＣＣＨフォーマット３に関連する第１の参照信号を送信する。
【０２１７】
また、端末は、複数のセカンダリセルにおける複数のＰＤＳＣＨの送信を指示する下りリンク制御情報を複数のＰＤＣＣＨで受信した場合には、第２のパラメータを使用して、上りリンク信号および／または第１の参照信号を生成する。
【０２１８】
また、端末は、複数のセカンダリセルにおける複数のＰＤＳＣＨの送信を指示する下りリンク制御情報を複数のＰＤＣＣＨで受信した場合には、ＰＵＣＣＨフォーマット３を使用して、上りリンク信号を送信する。また、端末は、複数のセカンダリセルにおける複数のＰＤＳＣＨの送信を指示する下りリンク制御情報を複数のＰＤＣＣＨで受信した場合には、ＰＵＣＣＨフォーマット３に関連する第１の参照信号を送信する。
【０２１９】
すなわち、端末は、少なくとも１つのセカンダリセルにおけるＰＤＳＣＨの送信を指示する下りリンク制御情報をＰＤＣＣＨで受信した場合には、第２のパラメータを使用して、上りリンク信号および／または第１の参照信号を生成する。
【０２２０】
また、端末は、少なくとも１つのセカンダリセルにおけるＰＤＳＣＨの送信を指示する下りリンク制御情報をＰＤＣＣＨで受信した場合には、ＰＵＣＣＨフォーマット３を使用して、上りリンク信号を送信する。また、端末は、少なくとも１つのセカンダリセルにおけるＰＤＳＣＨの送信を指示する下りリンク制御情報をＰＤＣＣＨで受信した場合には、ＰＵＣＣＨフォーマット３に関連する第１の参照信号を送信する。
【０２２１】
すなわち、端末は、少なくとも１つのセカンダリセルにおけるＰＤＳＣＨの送信に対応する上りリンク制御情報を送信する場合には、第２のパラメータを使用して、上りリンク信号および／または第１の参照信号を生成する。
【０２２２】
また、端末は、少なくとも１つのセカンダリセルにおけるＰＤＳＣＨの送信に対応する上りリンク制御情報を送信する場合には、ＰＵＣＣＨフォーマット３を使用して、上りリンク信号を送信する。また、端末は、少なくとも１つのセカンダリセルにおけるＰＤＳＣＨの送信に対応する上りリンク制御情報を送信する場合には、ＰＵＣＣＨフォーマット３に関連する第１の参照信号を送信する。
【０２２３】
ここで、端末は、プライマリセルのみにおける１つのＰＤＳＣＨをスケジュールする１つのＰＤＣＣＨを検出した場合（ステップ８０１；Ｙｅｓ）には、第１のパラメータまたは第２のパラメータを使用して、上りリンク信号および／または第１の参照信号を生成する（ステップ８０３以降へ）。
【０２２４】
また、端末は、プライマリセルのみにおける１つのＰＤＳＣＨをスケジュールする１つのＰＤＣＣＨを検出した場合（ステップ８０１；Ｙｅｓ）には、ＰＵＣＣＨフォーマット１ａ／１ｂを使用して、上りリンク信号を送信する（ステップ８０３以降へ）。また、端末は、プライマリセルのみにおける１つのＰＤＳＣＨをスケジュールする１つのＰＤＣＣＨを検出した場合（ステップ８０１；Ｙｅｓ）には、ＰＵＣＣＨフォーマット１ａ／１ｂに関連する第１の参照信号を送信する（ステップ８０３以降へ）。
【０２２５】
ここで、端末は、プライマリセルのみにおける１つのＰＤＳＣＨをスケジュールする１つのＰＤＣＣＨを、コモンサーチスペースで検出したか、ユーザー装置スペシフィックサーチスペースで検出したか、を識別（判断）する（ステップ８０３）。
【０２２６】
図８に示すように、端末は、ステップ８０３においてＵＳＳの場合、第２のパラメータを使用して、上りリンク信号および／または第１の参照信号を生成する（ステップ８０４）。また、端末は、ステップ８０３においてＵＳＳの場合、ＰＵＣＣＨフォーマット１ａ／１ｂを使用して、上りリンク信号を送信する（ステップ８０４）。また、端末は、ステップ８０３においてＵＳＳの場合、ＰＵＣＣＨフォーマット１ａ／１ｂに関連する第１の参照信号を送信する（ステップ８０４）。
【０２２７】
すなわち、端末は、プライマリセルのみにおける１つのＰＤＳＣＨをスケジュールする１つのＰＤＣＣＨを、ユーザー装置スペシフィックサーチスペースで検出した場合には、第２のパラメータを使用して、上りリンク信号および／または第１の参照信号を生成する。
【０２２８】
また、端末は、プライマリセルのみにおける１つのＰＤＳＣＨをスケジュールする１つのＰＤＣＣＨを、ユーザー装置スペシフィックサーチスペースで検出した場合には、ＰＵＣＣＨフォーマット１ａ／１ｂを使用して、上りリンク信号を送信する。また、端末は、プライマリセルのみにおける１つのＰＤＳＣＨをスケジュールする１つのＰＤＣＣＨを、ユーザー装置スペシフィックサーチスペースで検出した場合には、ＰＵＣＣＨフォーマット１ａ／１ｂに関連する第１の参照信号を送信する。
【０２２９】
すなわち、端末は、ユーザー装置スペシフィックサーチスペースで検出したＰＤＣＣＨによってスケジュールされるプライマリセルのみにおけるＰＤＳＣＨの送信、に対応する上りリンク制御情報を送信する場合には、第２のパラメータを使用して、上りリンク信号および／または第１の参照信号を生成する。
【０２３０】
また、端末は、ユーザー装置スペシフィックサーチスペースで検出したＰＤＣＣＨによってスケジュールされるプライマリセルのみにおけるＰＤＳＣＨの送信、に対応する上りリンク制御情報を送信する場合には、ＰＵＣＣＨフォーマット１ａ／１ｂを使用して、上りリンク信号を送信する。また、端末は、ユーザー装置スペシフィックサーチスペースで検出したＰＤＣＣＨによってスケジュールされるプライマリセルのみにおけるＰＤＳＣＨの送信、に対応する上りリンク制御情報を送信する場合には、ＰＵＣＣＨフォーマット１ａ／１ｂに関連する第１の参照信号を送信する。
【０２３１】
また、図８に示すように、端末は、ステップ８０３においてＣＳＳの場合、第１のパラメータを使用して、上りリンク信号および／または第１の参照信号を生成する（ステップ８０５）。また、端末は、ステップ８０３においてＣＳＳの場合、ＰＵＣＣＨフォーマット１ａ／１ｂを使用して、上りリンク信号を送信する（ステップ８０５）。また、端末は、ステップ８０３においてＣＳＳの場合、ＰＵＣＣＨフォーマット１ａ／１ｂに関連する第１の参照信号を送信する（ステップ８０５）。
【０２３２】
すなわち、端末は、プライマリセルのみにおける１つのＰＤＳＣＨをスケジュールする１つのＰＤＣＣＨを、コモンサーチスペースで検出した場合には、第１のパラメータを使用して、上りリンク信号および／または第１の参照信号を生成する。
【０２３３】
また、端末は、プライマリセルのみにおける１つのＰＤＳＣＨをスケジュールする１つのＰＤＣＣＨを、コモンサーチスペースで検出した場合には、ＰＵＣＣＨフォーマット１ａ／１ｂを使用して、上りリンク信号を送信する。また、端末は、プライマリセルのみにおける１つのＰＤＳＣＨをスケジュールする１つのＰＤＣＣＨを、コモンサーチスペースで検出した場合には、ＰＵＣＣＨフォーマット１ａ／１ｂに関連する第１の参照信号を送信する。
【０２３４】
すなわち、端末は、コモンサーチスペースで検出したＰＤＣＣＨによってスケジュールされるプライマリセルのみにおけるＰＤＳＣＨの送信、に対応する上りリンク制御情報を送信する場合には、第１のパラメータを使用して、上りリンク信号および／または第１の参照信号を生成する。
【０２３５】
また、端末は、コモンサーチスペースで検出したＰＤＣＣＨによってスケジュールされるプライマリセルのみにおけるＰＤＳＣＨの送信、に対応する上りリンク制御情報を送信する場合には、ＰＵＣＣＨフォーマット１ａ／１ｂを使用して、上りリンク信号を送信する。また、端末は、コモンサーチスペースで検出したＰＤＣＣＨによってスケジュールされるプライマリセルのみにおけるＰＤＳＣＨの送信、に対応する上りリンク制御情報を送信する場合には、ＰＵＣＣＨフォーマット１ａ／１ｂに関連する第１の参照信号を送信する。
【０２３６】
上述の通り、端末は、あるサブフレームにおいて、プライマリセルのみにおける１つのＰＤＳＣＨでの送信をスケジュールする１つのＰＤＣＣＨを、コモンサーチスペースで検出した場合には、第１のパラメータを使用して生成した上りリンク信号を、ＰＵＣＣＨフォーマット１ａ／１ｂを使用して送信する。
【０２３７】
また、端末は、あるサブフレームにおいて、プライマリセルのみにおける１つのＰＤＳＣＨでの送信をスケジュールする１つのＰＤＣＣＨを、ユーザー装置スペシフィックサーチスペースで検出した場合には、第２のパラメータを使用して生成した上りリンク信号を、ＰＵＣＣＨフォーマット１ａ／１ｂを使用して送信する。
【０２３８】
また、端末は、あるサブフレームにおいて、少なくとも１つのセカンダリセルにおけるＰＤＳＣＨでの送信をスケジュールするＰＤＣＣＨを検出した場合には、第２のパラメータを使用して生成した上りリンク信号を、ＰＵＣＣＨフォーマット３を使用して送信する。
【０２３９】
すなわち、端末は、あるサブフレームにおいて、少なくとも１つのセカンダリセルにおけるＰＤＳＣＨでの送信をスケジュールするＰＤＣＣＨを、コモンサーチスペースおよび／またはユーザー装置スペシフィックサーチスペースで検出した場合には、第２のパラメータを使用して生成した上りリンク信号を、ＰＵＣＣＨフォーマット３を使用して送信する。
【０２４０】
また、基地局は、あるサブフレームにおいて、プライマリセルのみにおける１つのＰＤＳＣＨでの送信をスケジュールする１つのＰＤＣＣＨを、コモンサーチスペースに配置した場合には、第１のパラメータを使用して生成された上りリンク信号を、ＰＵＣＣＨフォーマット１ａ／１ｂを使用して受信する。
【０２４１】
また、基地局は、あるサブフレームにおいて、プライマリセルのみにおける１つのＰＤＳＣＨでの送信をスケジュールする１つのＰＤＣＣＨを、ユーザー装置スペシフィックサーチスペースに配置した場合には、第２のパラメータを使用して生成された上りリンク信号を、ＰＵＣＣＨフォーマット１ａ／１ｂを使用して受信する。
【０２４２】
また、基地局は、あるサブフレームにおいて、少なくとも１つのセカンダリセルにおけるＰＤＳＣＨでの送信をスケジュールする下りリンク制御情報をＰＤＣＣＨで送信した場合には、第２のパラメータを使用して生成された上りリンク信号を、ＰＵＣＣＨフォーマット３を使用して受信する。
【０２４３】
すなわち、基地局は、あるサブフレームにおいて、少なくとも１つのセカンダリセルにおけるＰＤＳＣＨでの送信をスケジュールするＰＤＣＣＨを、コモンサーチスペースおよび／またはユーザー装置スペシフィックサーチスペースに配置した場合には、第２のパラメータを使用して生成した上りリンク信号を、ＰＵＣＣＨフォーマット３を使用して受信する。
【０２４４】
また、端末は、あるサブフレームにおいて、プライマリセルのみにおける１つのＰＤＳＣＨでの送信をスケジュールする１つのＰＤＣＣＨを、コモンサーチスペースで検出した場合には、第１のパラメータを使用して生成した第１の参照信号を送信する。この際、ＰＵＣＣＨのフォーマットは、ＰＵＣＣＨフォーマット１ａ／１ｂが使用される。
【０２４５】
すなわち、端末は、第１のパラメータを使用して生成した第１の参照信号を、ＰＵＣＣＨフォーマット１ａ／１ｂを使用した上りリンク制御情報の送信のために割り当てられたリソースブロック内のリソースエレメントにマップする。
【０２４６】
また、端末は、あるサブフレームにおいて、プライマリセルのみにおける１つのＰＤＳＣＨでの送信をスケジュールする１つのＰＤＣＣＨを、ユーザー装置スペシフィックサーチスペースで検出した場合には、第２のパラメータを使用して生成した第１の参照信号を送信する。この際、ＰＵＣＣＨのフォーマットは、ＰＵＣＣＨフォーマット１ａ／１ｂが使用される。
【０２４７】
すなわち、端末は、第２のパラメータを使用して生成した第１の参照信号を、ＰＵＣＣＨフォーマット１ａ／１ｂを使用した上りリンク制御情報の送信のために割り当てられたリソースブロック内のリソースエレメントにマップする。
【０２４８】
また、端末は、あるサブフレームにおいて、少なくとも１つのセカンダリセルにおけるＰＤＳＣＨでの送信をスケジュールするＰＤＣＣＨを検出した場合には、第２のパラメータを使用して生成した第１の参照信号を送信する。
【０２４９】
すなわち、端末は、あるサブフレームにおいて、少なくとも１つのセカンダリセルにおけるＰＤＳＣＨでの送信をスケジュールするＰＤＣＣＨを、コモンサーチスペースおよび／またはユーザー装置スペシフィックサーチスペースで検出した場合には、第２のパラメータを使用して生成した第１の参照信号を送信する。この際、ＰＵＣＣＨのフォーマットは、ＰＵＣＣＨフォーマット３が使用される。
【０２５０】
すなわち、端末は、第２のパラメータを使用して生成した第１の参照信号を、ＰＵＣＣＨフォーマット３を使用した上りリンク制御情報の送信のために割り当てられたリソースブロック内のリソースエレメントにマップする。
【０２５１】
また、基地局は、あるサブフレームにおいて、プライマリセルのみにおける１つのＰＤＳＣＨでの送信をスケジュールする１つのＰＤＣＣＨを、コモンサーチスペースに配置した場合には、第１のパラメータを使用して生成された第１の参照信号を受信する。この際、ＰＵＣＣＨのフォーマットは、ＰＵＣＣＨフォーマット１ａ／１ｂが使用される。
【０２５２】
すなわち、基地局は、第１のパラメータを使用して生成された第１の参照信号が、ＰＵＣＣＨフォーマット１ａ／１ｂを使用した上りリンク制御情報の送信のために割り当てたリソースブロック内のリソースエレメントにマップされていると想定して、第１の参照信号を受信する。
【０２５３】
また、基地局は、あるサブフレームにおいて、プライマリセルのみにおける１つのＰＤＳＣＨでの送信をスケジュールする１つのＰＤＣＣＨを、ユーザー装置スペシフィックサーチスペースに配置した場合には、第２のパラメータを使用して生成された第１の参照信号を受信する。この際、ＰＵＣＣＨのフォーマットは、ＰＵＣＣＨフォーマット１ａ／１ｂが使用される。
【０２５４】
すなわち、基地局は、第２のパラメータを使用して生成された第１の参照信号が、ＰＵＣＣＨフォーマット１ａ／１ｂを使用した上りリンク制御情報の送信のために割り当てたリソースブロック内のリソースエレメントにマップされていると想定して、第１の参照信号を受信する。
【０２５５】
また、基地局は、あるサブフレームにおいて、少なくとも１つのセカンダリセルにおけるＰＤＳＣＨでの送信をスケジュールする下りリンク制御情報をＰＤＣＣＨで送信した場合には、第２のパラメータを使用して生成された第１の参照信号を受信する。
【０２５６】
すなわち、基地局は、あるサブフレームにおいて、少なくとも１つのセカンダリセルにおけるＰＤＳＣＨでの送信をスケジュールするＰＤＣＣＨを、コモンサーチスペースおよび／またはユーザー装置スペシフィックサーチスペースに配置した場合には、第２のパラメータを使用して生成された第１の参照信号を受信する。この際、ＰＵＣＣＨのフォーマットは、ＰＵＣＣＨフォーマット３が使用される。
【０２５７】
すなわち、基地局は、第２のパラメータを使用して生成された第１の参照信号が、ＰＵＣＣＨフォーマット３を使用した上りリンク制御情報の送信のために割り当てたリソースブロック内のリソースエレメントにマップされていると想定して、第１の参照信号を受信する。
【０２５８】
図９は、本実施形態を説明する図である。ここで、図９を使用して、上述の数式において、第１のパラメータ（すなわち、物理レイヤセルアイデンティティ）を使用するのか、または、第２のパラメータ（すなわち、パラメータ“Ｘ”）を使用するのかの詳細について説明する。基地局と端末は、図８を使用して説明したような動作を行っても良いし、図９を使用して説明するような動作を行っても良い。
【０２５９】
例えば、図９において、端末は、複数のサービングセルとＰＵＣＣＨフォーマット１ｂを使用したチャネル選択による上りリンク制御情報の送信を、基地局によって設定（指示）される。また、図９において、端末は、Ｃ−ＲＮＴＩによってスクランブルされたＣＲＣを伴うＰＤＣＣＨを検出する。
【０２６０】
図９に示すように、端末は、ＰＤＳＣＨに対する上りリンク制御情報を送信する場合に、ＰＤＣＣＨで送信された下りリンク制御情報が、どのサービングセルにおけるＰＤＳＣＨの送信（ＰＤＳＣＨでの送信）を指示（スケジュール）しているのか、に応じて、該ＰＤＳＣＨに対する上りリンク制御情報の送信に対して、第１のパラメータを使用するのか、第２のパラメータを使用するのか、を切り換える。
【０２６１】
すなわち、端末は、ＰＤＳＣＨに対する上りリンク制御情報を送信する場合に、ＰＤＣＣＨで送信された下りリンク制御情報が、どのサービングセルにおけるＰＤＳＣＨの送信を指示しているのか、に応じて、上述の数式において、第１のパラメータを使用するのか、第２のパラメータを使用するのか、を切り換える。
【０２６２】
また、端末は、ＰＤＳＣＨに対する上りリンク制御情報を送信する場合に、ＰＤＣＣＨで送信された下りリンク制御情報が、どのサービングセルにおけるＰＤＳＣＨの送信を指示しているのか、に応じて、該ＰＤＳＣＨに対する上りリンク制御情報の送信に対して、ＰＵＣＣＨフォーマット１ａ／１ｂを使用するのか、ＰＵＣＣＨフォーマット１ｂを使用したチャネル選択を使用するのか、を切り換える。
【０２６３】
また、図９に示すように、端末は、ＰＤＳＣＨに対する上りリンク制御情報を送信する場合に、どのサーチスペース（コモンサーチスペース、または、ユーザー装置スペシフィックサーチスペース）でＰＤＣＣＨを検出したのか、に応じて、該ＰＤＳＣＨに対する上りリンク制御情報の送信に対して、第１のパラメータを使用するのか、第２のパラメータを使用するのか、を切り換える。
【０２６４】
すなわち、端末は、ＰＤＳＣＨに対する上りリンク制御情報を送信する場合に、どのサーチスペースでＰＤＣＣＨを検出したのか、に応じて、上述の数式において、第１のパラメータを使用するのか、第２のパラメータを使用するのか、を切り換える。
【０２６５】
また、端末は、ＰＤＳＣＨに対する上りリンク制御情報を送信する場合に、どのサーチスペースでＰＤＣＣＨを検出したのか、に応じて、該ＰＤＳＣＨに対する上りリンク制御情報の送信に対して、ＰＵＣＣＨフォーマット１ａ／１ｂを使用するのか、ＰＵＣＣＨフォーマット１ｂを使用したチャネル選択を使用するのか、を切り換える。
【０２６６】
以下、図９における処理フローについて説明する。上述した通り、端末は、第１のパラメータまたは第２のパラメータを使用して、上りリンク信号（上りリンク制御情報の信号）を生成する。また、端末は、第１のパラメータまたは第２のパラメータを使用して、第１の参照信号を生成する。
【０２６７】
図９において、端末は、プライマリセルのみにおける１つのＰＤＳＣＨの送信（１つのＰＤＳＣＨでの送信）を指示する下りリンク制御情報を１つのＰＤＣＣＨで受信したかどうか、を識別（判断）する（ステップ９０１）。すなわち、端末は、プライマリセルのみにおける１つのＰＤＳＣＨをスケジュールする（該１つのＰＤＳＣＨの送信に対応する）１つのＰＤＣＣＨを検出したかどうか、を識別する。
【０２６８】
ここで、端末は、ステップ９０１においてＮｏの場合、第２のパラメータを使用して、上りリンク信号および／または上りリンク信号を生成する（ステップ９０２）。また、端末は、ステップ９０１においてＮｏの場合、ＰＵＣＣＨフォーマット１ｂを使用したチャネル選択を使用して、上りリンク信号を送信する（ステップ９０２）。また、端末は、ステップ９０１においてＮｏの場合、ＰＵＣＣＨフォーマット１ｂを使用したチャネル選択に関連する第１の参照信号を送信する（ステップ９０２）。
【０２６９】
すなわち、端末は、セカンダリセルにおける１つのＰＤＳＣＨの送信を指示する下りリンク制御情報を１つのＰＤＣＣＨで受信した場合には、第２のパラメータを使用して、上りリンク信号および／または第１の参照信号を生成する。すなわち、端末は、セカンダリセルにおける１つのＰＤＳＣＨの送信を指示する、（該１つのＰＤＳＣＨの送信に対応する）ＰＤＣＣＨを検出した場合には、第２のパラメータを使用して、上りリンク信号および／または第１の参照信号を生成する。
【０２７０】
また、端末は、セカンダリセルにおける１つのＰＤＳＣＨの送信を指示する下りリンク制御情報を１つのＰＤＣＣＨで受信した場合には、ＰＵＣＣＨフォーマット１ｂを使用したチャネル選択を使用して、上りリンク信号を送信する。すなわち、端末は、セカンダリセルにおける１つのＰＤＳＣＨの送信を指示する、（該１つのＰＤＳＣＨの送信に対応する）ＰＤＣＣＨを検出した場合には、ＰＵＣＣＨフォーマット１ｂを使用したチャネル選択を使用して、上りリンク信号を送信する。
【０２７１】
また、端末は、セカンダリセルにおける１つのＰＤＳＣＨの送信を指示する下りリンク制御情報を１つのＰＤＣＣＨで受信した場合には、ＰＵＣＣＨフォーマット１ｂを使用したチャネル選択に関連する第１の参照信号を送信する。すなわち、端末は、セカンダリセルにおける１つのＰＤＳＣＨの送信を指示する、（該１つのＰＤＳＣＨの送信に対応する）ＰＤＣＣＨを検出した場合には、ＰＵＣＣＨフォーマット１ｂを使用したチャネル選択に関連する第１の参照信号を送信する。
【０２７２】
また、端末は、プライマリセルおよびセカンダリセルにおける複数のＰＤＳＣＨの送信を指示する下りリンク制御情報を複数のＰＤＣＣＨで受信した場合には、第２のパラメータを使用して、上りリンク信号および／または第１の参照信号を生成する。
【０２７３】
また、端末は、プライマリセルおよびセカンダリセルにおける複数のＰＤＳＣＨの送信を指示する下りリンク制御情報を複数のＰＤＣＣＨで受信した場合には、ＰＵＣＣＨフォーマット１ｂを使用したチャネル選択を使用して、上りリンク信号を送信する。また、端末は、プライマリセルおよびセカンダリセルにおける複数のＰＤＳＣＨの送信を指示する下りリンク制御情報を複数のＰＤＣＣＨで受信した場合には、ＰＵＣＣＨフォーマット１ｂを使用したチャネル選択に関連する第１の参照信号を送信する。
【０２７４】
例えば、端末は、コモンサーチスペースでプライマリセルにおける１つのＰＤＳＣＨをスケジュールする１つのＰＤＣＣＨを、ユーザー装置スペシフィックサーチスペースでセカンダリセルにおける１つのＰＤＳＣＨをスケジュールする１つのＰＤＣＣＨを、検出した場合には、第２のパラメータを使用して、上りリンク信号および／または第１の参照信号を生成する。
【０２７５】
また、例えば、端末は、コモンサーチスペースでプライマリセルにおける１つのＰＤＳＣＨをスケジュールする１つのＰＤＣＣＨを、ユーザー装置スペシフィックサーチスペースでセカンダリセルにおける１つのＰＤＳＣＨをスケジュールする１つのＰＤＣＣＨを、検出した場合には、ＰＵＣＣＨフォーマット１ｂを使用したチャネル選択を使用して、上りリンク信号を送信する。
【０２７６】
また、例えば、端末は、コモンサーチスペースでプライマリセルにおける１つのＰＤＳＣＨをスケジュールする１つのＰＤＣＣＨを、ユーザー装置スペシフィックサーチスペースでセカンダリセルにおける１つのＰＤＳＣＨをスケジュールする１つのＰＤＣＣＨを、検出した場合には、ＰＵＣＣＨフォーマット１ｂを使用したチャネル選択に関連する第１の参照信号を送信する。
【０２７７】
また、端末は、複数のセカンダリセルにおける複数のＰＤＳＣＨの送信を指示する下りリンク制御情報を複数のＰＤＣＣＨで受信した場合には、第２のパラメータを使用して、上りリンク信号および／または第１の参照信号を生成する。
【０２７８】
また、端末は、複数のセカンダリセルにおける複数のＰＤＳＣＨの送信を指示する下りリンク制御情報を複数のＰＤＣＣＨで受信した場合には、ＰＵＣＣＨフォーマット１ｂを使用したチャネル選択を使用して、上りリンク信号を送信する。また、端末は、複数のセカンダリセルにおける複数のＰＤＳＣＨの送信を指示する下りリンク制御情報を複数のＰＤＣＣＨで受信した場合には、ＰＵＣＣＨフォーマット１ｂを使用したチャネル選択に関連する第１の参照信号を送信する。
【０２７９】
すなわち、端末は、少なくとも１つのセカンダリセルにおけるＰＤＳＣＨの送信を指示する下りリンク制御情報をＰＤＣＣＨで受信した場合には、第２のパラメータを使用して、上りリンク信号および／または第１の参照信号を生成する。
【０２８０】
また、端末は、少なくとも１つのセカンダリセルにおけるＰＤＳＣＨの送信を指示する下りリンク制御情報をＰＤＣＣＨで受信した場合には、ＰＵＣＣＨフォーマット１ｂを使用したチャネル選択を使用して、上りリンク信号を送信する。また、端末は、少なくとも１つのセカンダリセルにおけるＰＤＳＣＨの送信を指示する下りリンク制御情報をＰＤＣＣＨで受信した場合には、ＰＵＣＣＨフォーマット１ｂを使用したチャネル選択に関連する第１の参照信号を送信する。
【０２８１】
すなわち、端末は、少なくとも１つのセカンダリセルにおけるＰＤＳＣＨの送信に対応する上りリンク制御情報を送信する場合には、第２のパラメータを使用して、上りリンク信号および／または第１の参照信号を生成する。
【０２８２】
また、端末は、少なくとも１つのセカンダリセルにおけるＰＤＳＣＨの送信に対応する上りリンク制御情報を送信する場合には、ＰＵＣＣＨフォーマット１ｂを使用したチャネル選択を使用して、上りリンク信号を送信する。また、端末は、少なくとも１つのセカンダリセルにおけるＰＤＳＣＨの送信に対応する上りリンク制御情報を送信する場合には、ＰＵＣＣＨフォーマット１ｂを使用したチャネル選択に関連する第１の参照信号を送信する。
【０２８３】
ここで、端末は、プライマリセルのみにおける１つのＰＤＳＣＨをスケジュールする１つのＰＤＣＣＨを検出した場合（ステップ９０１；Ｙｅｓ）には、第１のパラメータまたは第２のパラメータを使用して、上りリンク信号および／または第１の参照信号を生成する（ステップ９０３以降へ）。
【０２８４】
また、端末は、プライマリセルのみにおける１つのＰＤＳＣＨをスケジュールする１つのＰＤＣＣＨを検出した場合（ステップ９０１；Ｙｅｓ）には、ＰＵＣＣＨフォーマット１ａ／１ｂまたはＰＵＣＣＨフォーマット１ｂを使用したチャネル選択、を使用して、上りリンク信号を送信する（ステップ９０３以降へ）。また、端末は、プライマリセルのみにおける１つのＰＤＳＣＨをスケジュールする１つのＰＤＣＣＨを検出した場合（ステップ９０１；Ｙｅｓ）には、ＰＵＣＣＨフォーマット１ａ／１ｂまたはＰＵＣＣＨフォーマット１ｂを使用したチャネル選択、に関連する、第１の参照信号を送信する（ステップ９０３以降へ）。
【０２８５】
ここで、端末は、プライマリセルのみにおける１つのＰＤＳＣＨをスケジュールする１つのＰＤＣＣＨを、コモンサーチスペースで検出したか、ユーザー装置スペシフィックサーチスペースで検出したか、を識別（判断）する（ステップ９０３）。
【０２８６】
図９に示すように、端末は、ステップ９０３においてＵＳＳの場合、第２のパラメータを使用して、上りリンク信号および／または第１の参照信号を生成する（ステップ９０２）。また、端末は、ステップ９０３においてＵＳＳの場合、ＰＵＣＣＨフォーマット１ｂを使用したチャネル選択を使用して、上りリンク信号を送信する（ステップ９０２）。また、端末は、ステップ９０３においてＵＳＳの場合、ＰＵＣＣＨフォーマット１ｂを使用したチャネル選択に関連する第１の参照信号を送信する（ステップ９０２）。
【０２８７】
すなわち、端末は、プライマリセルのみにおける１つのＰＤＳＣＨをスケジュールする１つのＰＤＣＣＨを、ユーザー装置スペシフィックサーチスペースで検出した場合には、第２のパラメータを使用して、上りリンク信号および／または第１の参照信号を生成する。
【０２８８】
また、端末は、プライマリセルのみにおける１つのＰＤＳＣＨをスケジュールする１つのＰＤＣＣＨを、ユーザー装置スペシフィックサーチスペースで検出した場合には、ＰＵＣＣＨフォーマット１ｂを使用したチャネル選択を使用して、上りリンク信号を送信する。また、端末は、プライマリセルのみにおける１つのＰＤＳＣＨをスケジュールする１つのＰＤＣＣＨを、ユーザー装置スペシフィックサーチスペースで検出した場合には、ＰＵＣＣＨフォーマット１ｂを使用したチャネル選択に関連する第１の参照信号を送信する。
【０２８９】
すなわち、端末は、ユーザー装置スペシフィックサーチスペースで検出したＰＤＣＣＨによってスケジュールされるプライマリセルのみにおけるＰＤＳＣＨの送信、に対応する上りリンク制御情報を送信する場合には、第２のパラメータを使用して、上りリンク信号および／または第１の参照信号を生成する。
【０２９０】
また、端末は、ユーザー装置スペシフィックサーチスペースで検出したＰＤＣＣＨによってスケジュールされるプライマリセルのみにおけるＰＤＳＣＨの送信、に対応する上りリンク制御情報を送信する場合には、ＰＵＣＣＨフォーマット１ｂを使用したチャネル選択を使用して、上りリンク信号を送信する。また、端末は、ユーザー装置スペシフィックサーチスペースで検出したＰＤＣＣＨによってスケジュールされるプライマリセルのみにおけるＰＤＳＣＨの送信、に対応する上りリンク制御情報を送信する場合には、ＰＵＣＣＨフォーマット１ｂを使用したチャネル選択に関連する第１の参照信号を送信する。
【０２９１】
また、図９に示すように、端末は、ステップ９０３においてＣＳＳの場合、第１のパラメータを使用して、上りリンク信号および／または第１の参照信号を生成する（ステップ９０４）。また、端末は、ステップ９０３においてＣＳＳの場合、ＰＵＣＣＨフォーマット１ａ／１ｂを使用して、上りリンク信号を送信する（ステップ９０４）。また、端末は、ステップ９０３においてＣＳＳの場合、ＰＵＣＣＨフォーマット１ａ／１ｂに関連する第１の参照信号を送信する（ステップ９０４）。
【０２９２】
すなわち、端末は、プライマリセルのみにおける１つのＰＤＳＣＨをスケジュールする１つのＰＤＣＣＨを、コモンサーチスペースで検出した場合には、第１のパラメータを使用して、上りリンク信号および／または第１の参照信号を生成する。
【０２９３】
また、端末は、プライマリセルのみにおける１つのＰＤＳＣＨをスケジュールする１つのＰＤＣＣＨを、コモンサーチスペースで検出した場合には、ＰＵＣＣＨフォーマット１ａ／１ｂを使用して、上りリンク信号を送信する。また、端末は、プライマリセルのみにおける１つのＰＤＳＣＨをスケジュールする１つのＰＤＣＣＨを、コモンサーチスペースで検出した場合には、ＰＵＣＣＨフォーマット１ａ／１ｂに関連する第１の参照信号を送信する。
【０２９４】
すなわち、端末は、コモンサーチスペースで検出したＰＤＣＣＨによってスケジュールされるプライマリセルのみにおけるＰＤＳＣＨの送信、に対応する上りリンク制御情報を送信する場合には、第１のパラメータを使用して、上りリンク信号および／または第１の参照信号を生成する。
【０２９５】
また、端末は、コモンサーチスペースで検出したＰＤＣＣＨによってスケジュールされるプライマリセルのみにおけるＰＤＳＣＨの送信、に対応する上りリンク制御情報を送信する場合には、ＰＵＣＣＨフォーマット１ａ／１ｂを使用して、上りリンク信号を送信する。また、端末は、コモンサーチスペースで検出したＰＤＣＣＨによってスケジュールされるプライマリセルのみにおけるＰＤＳＣＨの送信、に対応する上りリンク制御情報を送信する場合には、ＰＵＣＣＨフォーマット１ａ／１ｂに関連する第１の参照信号を送信する。
【０２９６】
上述の通り、端末は、あるサブフレームにおいて、プライマリセルのみにおける１つのＰＤＳＣＨでの送信をスケジュールする１つのＰＤＣＣＨを、コモンサーチスペースで検出した場合には、第１のパラメータを使用して生成した上りリンク信号を、ＰＵＣＣＨフォーマット１ａ／１ｂを使用して送信する。
【０２９７】
また、端末は、あるサブフレームにおいて、プライマリセルのみにおける１つのＰＤＳＣＨでの送信をスケジュールする１つのＰＤＣＣＨを、ユーザー装置スペシフィックサーチスペースで検出した場合には、第２のパラメータを使用して生成した上りリンク信号を、ＰＵＣＣＨフォーマット１ｂを使用したチャネル選択によって送信する。
【０２９８】
また、端末は、あるサブフレームにおいて、少なくとも１つのセカンダリセルにおけるＰＤＳＣＨでの送信をスケジュールするＰＤＣＣＨを検出した場合には、第２のパラメータを使用して生成した上りリンク信号を、ＰＵＣＣＨフォーマット１ｂを使用したチャネル選択によって送信する。
【０２９９】
すなわち、端末は、あるサブフレームにおいて、少なくとも１つのセカンダリセルにおけるＰＤＳＣＨでの送信をスケジュールするＰＤＣＣＨを、コモンサーチスペースおよび／またはユーザー装置スペシフィックサーチスペースで検出した場合には、第２のパラメータを使用して生成した上りリンク信号を、ＰＵＣＣＨフォーマット１ｂを使用したチャネル選択によって送信する。
【０３００】
また、基地局は、あるサブフレームにおいて、プライマリセルのみにおける１つのＰＤＳＣＨでの送信をスケジュールする１つのＰＤＣＣＨを、コモンサーチスペースに配置した場合には、第１のパラメータを使用して生成された上りリンク信号を、ＰＵＣＣＨフォーマット１ａ／１ｂを使用して受信する。
【０３０１】
また、基地局は、あるサブフレームにおいて、プライマリセルのみにおける１つのＰＤＳＣＨでの送信をスケジュールする１つのＰＤＣＣＨを、ユーザー装置スペシフィックサーチスペースに配置した場合には、第２のパラメータを使用して生成した上りリンク信号を、ＰＵＣＣＨフォーマット１ｂを使用したチャネル選択によって受信する。
【０３０２】
また、基地局は、あるサブフレームにおいて、少なくとも１つのセカンダリセルにおけるＰＤＳＣＨでの送信をスケジュールする下りリンク制御情報をＰＤＣＣＨで送信した場合には、第２のパラメータを使用して生成された上りリンク信号を、ＰＵＣＣＨフォーマット１ｂを使用したチャネル選択によって受信する。
【０３０３】
すなわち、基地局は、あるサブフレームにおいて、少なくとも１つのセカンダリセルにおけるＰＤＳＣＨでの送信をスケジュールするＰＤＣＣＨを、コモンサーチスペースおよび／またはユーザー装置スペシフィックサーチスペースに配置した場合には、第２のパラメータを使用して生成した上りリンク信号を、ＰＵＣＣＨフォーマット１ｂを使用したチャネル選択によって受信する。
【０３０４】
また、端末は、あるサブフレームにおいて、プライマリセルのみにおける１つのＰＤＳＣＨでの送信をスケジュールする１つのＰＤＣＣＨを、コモンサーチスペースで検出した場合には、第１のパラメータを使用して生成した第１の参照信号を送信する。この際、ＰＵＣＣＨのフォーマットは、ＰＵＣＣＨフォーマット１ａ／１ｂが使用される。
【０３０５】
すなわち、端末は、第１のパラメータを使用して生成した第１の参照信号を、ＰＵＣＣＨフォーマット１ａ／１ｂを使用した上りリンク制御情報の送信のために割り当てられたリソースブロック内のリソースエレメントにマップする。
【０３０６】
また、端末は、あるサブフレームにおいて、プライマリセルのみにおける１つのＰＤＳＣＨでの送信をスケジュールする１つのＰＤＣＣＨを、ユーザー装置スペシフィックサーチスペースで検出した場合には、第２のパラメータを使用して生成した第１の参照信号を送信する。この際、ＰＵＣＣＨフォーマット１ｂを使用したチャネル選択が使用される。
【０３０７】
すなわち、端末は、第２のパラメータを使用して生成した第１の参照信号を、ＰＵＣＣＨフォーマット１ｂを使用したチャネル選択による上りリンク制御情報の送信のために割り当てられたリソースブロック内のリソースエレメントにマップする。
【０３０８】
また、端末は、あるサブフレームにおいて、少なくとも１つのセカンダリセルにおけるＰＤＳＣＨでの送信をスケジュールするＰＤＣＣＨを検出した場合には、第２のパラメータを使用して生成した第１の参照信号を送信する。
【０３０９】
すなわち、端末は、あるサブフレームにおいて、少なくとも１つのセカンダリセルにおけるＰＤＳＣＨでの送信をスケジュールするＰＤＣＣＨを、コモンサーチスペースおよび／またはユーザー装置スペシフィックサーチスペースで検出した場合には、第２のパラメータを使用して生成した第１の参照信号を送信する。この際、ＰＵＣＣＨフォーマット１ｂを使用したチャネル選択が使用される。
【０３１０】
すなわち、端末は、第２のパラメータを使用して生成した第１の参照信号を、ＰＵＣＣＨフォーマット１ｂを使用したチャネル選択による上りリンク制御情報の送信のために割り当てられたリソースブロック内のリソースエレメントにマップする。
【０３１１】
また、基地局は、あるサブフレームにおいて、プライマリセルのみにおける１つのＰＤＳＣＨでの送信をスケジュールする１つのＰＤＣＣＨを、コモンサーチスペースに配置した場合には、第１のパラメータを使用して生成された第１の参照信号を受信する。この際、ＰＵＣＣＨのフォーマットは、ＰＵＣＣＨフォーマット１ａ／１ｂが使用される。
【０３１２】
すなわち、基地局は、第１のパラメータを使用して生成された第１の参照信号が、ＰＵＣＣＨフォーマット１ａ／１ｂを使用した上りリンク制御情報の送信のために割り当てたリソースブロック内のリソースエレメントにマップされていると想定して、第１の参照信号を受信する。
【０３１３】
また、基地局は、あるサブフレームにおいて、プライマリセルのみにおける１つのＰＤＳＣＨでの送信をスケジュールする１つのＰＤＣＣＨを、ユーザー装置スペシフィックサーチスペースに配置した場合には、第２のパラメータを使用して生成された第１の参照信号を受信する。この際、ＰＵＣＣＨフォーマット１ｂを使用したチャネル選択が使用される。
【０３１４】
すなわち、基地局は、第２のパラメータを使用して生成された第１の参照信号が、ＰＵＣＣＨフォーマット１ｂを使用したチャネル選択による上りリンク制御情報の送信のために割り当てたリソースブロック内のリソースエレメントにマップされていると想定して、第１の参照信号を受信する。
【０３１５】
また、基地局は、あるサブフレームにおいて、少なくとも１つのセカンダリセルにおけるＰＤＳＣＨでの送信をスケジュールする下りリンク制御情報をＰＤＣＣＨで送信した場合には、第２のパラメータを使用して生成された第１の参照信号を受信する。
【０３１６】
すなわち、基地局は、あるサブフレームにおいて、少なくとも１つのセカンダリセルにおけるＰＤＳＣＨでの送信をスケジュールするＰＤＣＣＨを、コモンサーチスペースおよび／またはユーザー装置スペシフィックサーチスペースに配置した場合には、第２のパラメータを使用して生成された第１の参照信号を送信する。この際、ＰＵＣＣＨフォーマット１ｂを使用したチャネル選択が使用される。
【０３１７】
すなわち、基地局は、第２のパラメータを使用して生成された第１の参照信号が、ＰＵＣＣＨフォーマット１ｂを使用したチャネル選択による上りリンク制御情報の送信のために割り当てたリソースブロック内のリソースエレメントにマップされていると想定して、第１の参照信号を受信する。
【０３１８】
上述のような方法によって、基地局と端末が、より柔軟にパラメータを切り換えて、上りリンク制御情報や上りリンク参照信号を送受信することができる。また、基地局と端末が、より動的にパラメータを切り換えて、上りリンク制御情報や上りリンク参照信号を送受信することができる。
【０３１９】
例えば、基地局と端末が、ＲＲＣ層における設定やＲＲＣ層における再設定、を行っている期間に、基地局は、コモンサーチスペースを使用してスケジューリングを行うことができる。また、基地局と端末が、ＲＲＣ層における設定やＲＲＣ層における再設定、を行っている期間に、端末は、第１のパラメータを使用して、上りリンク信号や上りリンク参照信号を送信することこができる。
【０３２０】
上述したように、端末は、プライマリセルのみにおけるＰＤＳＣＨをスケジュールするＰＤＣＣＨをコモンサーチスペースで検出した場合には、セル固有のパラメータを使用して、上りリンク信号や上りリンク参照信号を生成する。すなわち、基地局と端末が、ＲＲＣ層における設定やＲＲＣ層における再設定、を行っている期間であっても通信を継続することが可能となり、無線リソースを効率的に使用した通信を行うことができる。
【０３２１】
本発明に関わるプライマリー基地局、セカンダリー基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０３２２】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述したような実施形態におけるプライマリー基地局、セカンダリー基地局および端末の一部、または全てを、典型的には集積回路であるＬＳＩとして実現してもよい。ここで、プライマリー基地局、セカンダリー基地局および端末の各機能ブロックは個別にチップ化してもよいし、一部、または全てを集積してチップ化してもよい。また、集積回路化の手法はＬＳＩに限らず、専用回路または汎用プロセッサなどで実現しても良い。また、半導体技術の進歩によりＬＳＩに代替する集積回路化の技術が出現した場合、当該技術による集積回路を用いることも可能である。
【０３２３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０３２４】
本発明は、移動局装置や基地局装置や通信方法や無線通信システムや集積回路に対して好適である。
【符号の説明】
【０３２５】
１００  基地局
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
２００  端末
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
３０１  プライマリー基地局
３０２  セカンダリー基地局
３０３、３０４  端末
３０５、３０６、３０７、３０８  上りリンク
【図１】
2013229771.tif 000024
【図２】
2013229771.tif 000025
【図３】
2013229771.tif 000026
【図４】
2013229771.tif 000027
【図５】
2013229771.tif 000028
【図６】
2013229771.tif 000029
【図７】
2013229771.tif 000030
【図８】
2013229771.tif 000031
【図９】
2013229771.tif 000032